(57)【要約】  上りリンクデータを効率的に送信する。端末装置であって、マスターセルグループのプライマリーセルを含むタイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする。
2017047444.tif 000002
【特許請求の範囲】
【請求項１】
マスターセルグループのプライマリーセルを含むタイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、
前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップし、
セカンダリーセルグループのプライマリーセカンダリーセルを含むタイミングアドバンスグループにおける上りリンク送信タイミングと、前記セカンダリーセルグループのセカンダリータイミングアドバンスグループにおける上りリンク送信タイミングとの差が、最大の送信タイミングの差を超えている場合には、
前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする
端末装置。
【請求項２】
マスターセルグループのプライマリーセルを含むタイミングアドバンスグループにおける端末装置における上りリンク送信タイミングと、セカンダリーセルグループのセカンダリータイミングアドバンスグループにおける端末装置における上りリンク送信タイミングとの差が、最大の送信タイミングの差を超えている場合には、
前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなし、
セカンダリーセルグループのプライマリーセカンダリーセルを含むタイミングアドバンスグループにおける端末装置における上りリンク送信タイミングと、前記セカンダリーセルグループのセカンダリータイミングアドバンスグループにおける端末装置における上りリンク送信タイミングとの差が、最大の送信タイミングの差を超えている場合には、
前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす
基地局装置。
【請求項３】
マスターセルグループのプライマリーセルを含むタイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、
前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップし、
セカンダリーセルグループのプライマリーセカンダリーセルを含むタイミングアドバンスグループにおける上りリンク送信タイミングと、前記セカンダリーセルグループのセカンダリータイミングアドバンスグループにおける上りリンク送信タイミングとの差が、最大の送信タイミングの差を超えている場合には、
前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする
端末装置の通信方法。
【請求項４】
マスターセルグループのプライマリーセルを含むタイミングアドバンスグループにおける端末装置における上りリンク送信タイミングと、セカンダリーセルグループのセカンダリータイミングアドバンスグループにおける端末装置における上りリンク送信タイミングとの差が、最大の送信タイミングの差を超えている場合には、
前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなし、
セカンダリーセルグループのプライマリーセカンダリーセルを含むタイミングアドバンスグループにおける端末装置における上りリンク送信タイミングと、前記セカンダリーセルグループのセカンダリータイミングアドバンスグループにおける端末装置における上りリンク送信タイミングとの差が、最大の送信タイミングの差を超えている場合には、
前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす
基地局装置の通信方法。
【請求項５】
マスターセルグループのプライマリーセルを含むタイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、
前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする機能と、
セカンダリーセルグループのプライマリーセカンダリーセルを含むタイミングアドバンスグループにおける上りリンク送信タイミングと、前記セカンダリーセルグループのセカンダリータイミングアドバンスグループにおける上りリンク送信タイミングとの差が、最大の送信タイミングの差を超えている場合には、
前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする機能と、を端末装置に発揮させる
前記端末装置に搭載される集積回路。
【請求項６】
マスターセルグループのプライマリーセルを含むタイミングアドバンスグループにおける端末装置における上りリンク送信タイミングと、セカンダリーセルグループのセカンダリータイミングアドバンスグループにおける端末装置における上りリンク送信タイミングとの差が、最大の送信タイミングの差を超えている場合には、
前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす機能と、
セカンダリーセルグループのプライマリーセカンダリーセルを含むタイミングアドバンスグループにおける端末装置における上りリンク送信タイミングと、前記セカンダリーセルグループのセカンダリータイミングアドバンスグループにおける端末装置における上りリンク送信タイミングとの差が、最大の送信タイミングの差を超えている場合には、
前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす機能と、を基地局装置に発揮させる
前記基地局装置に搭載される集積回路。
【発明の詳細な説明】
【技術分野】
【０００１】
本発明は、端末装置、基地局装置、通信方法、および、集積回路に関する。
本願は、２０１５年９月１８日に、日本に出願された特願２０１５−１８５１５９号に基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する）が、第三世代パートナーシッププロジェクト（3rd Generation Partnership Project: 3GPP）において検討されている（非特許文献１）。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。ここで、単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤにおいて、上りリンク信号と下りリンク信号が時分割多重される。また、ＬＴＥは、周波数分割複信（Frequency Division Duplex: FDD）に対応している。【０００４】
３ＧＰＰにおいて、待ち時間の縮小の強化（latency reduction enhancements）が検討されている。例えば、待ち時間の縮小の強化として、スケジューリングリクエストの高速のグラント（Scheduling request first grant）や事前にスケジュールされた高速のグラント（Pre-scheduled first grant）が検討されている（非特許文献２）。
【先行技術文献】
【非特許文献】
【０００５】
【非特許文献１】"3GPP TS 36.321 V12.6.0 (2015-06) Evolved Universal Terrestrial Radio Access (E-UTRA); Medium Access Control (MAC) protocol specification (Release 12)", 8th-July 2015.
【非特許文献２】"L2 enhancements to reduce latency", R2-153490, Ericsson, 3GPP TSG-RAN WG2 #91, Beijing, China, 24-28 August 2015.
【発明の概要】
【発明が解決しようとする課題】
【０００６】
しかしながら、上述のような無線通信システムにおいて、上りリンクデータが送信される際の手順について、具体的な方法は十分に検討されていなかった。【０００７】
本発明は上記の点に鑑みてなされたものであり、その目的は、上りリンクデータを効率的に送信することができる端末装置、基地局装置、通信方法、および、集積回路を提供することを目的とする。
【課題を解決するための手段】
【０００８】
（１）上記の目的を達成するために、本発明の態様は、以下のような手段を講じた。すなわち、本発明の一様態における端末装置は、マスターセルグループのプライマリーセルを含むタイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップし、セカンダリーセルグループのプライマリーセカンダリーセルを含むタイミングアドバンスグループにおける上りリンク送信タイミングと、前記セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする。【０００９】
（２）また、本発明の一様態における基地局装置は、マスターセルグループのプライマリーセルを含むタイミングアドバンスグループにおける端末装置における上りリンク送信タイミングと、セカンダリーセルグループのセカンダリータイミングアドバンスグループにおける端末装置における上りリンク送信タイミングとの差が、最大の送信タイミングの差を超えている場合には、前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなし、セカンダリーセルグループのプライマリーセカンダリーセルを含むタイミングアドバンスグループにおける端末装置における上りリンク送信タイミングと、前記セカンダリーセルグループのセカンダリータイミングアドバンスグループにおける端末装置における上りリンク送信タイミングとの差が、最大の送信タイミングの差を超えている場合には、前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす。【００１０】
（３）また、本発明の一様態における端末装置の通信方法は、マスターセルグループのプライマリーセルを含むタイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップし、セカンダリーセルグループのプライマリーセカンダリーセルを含むタイミングアドバンスグループにおける上りリンク送信タイミングと、前記セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする。【００１１】
（４）また、本発明の一様態における基地局装置の通信方法は、マスターセルグループのプライマリーセルを含むタイミングアドバンスグループにおける端末装置における上りリンク送信タイミングと、セカンダリーセルグループのセカンダリータイミングアドバンスグループにおける端末装置における上りリンク送信タイミングとの差が、最大の送信タイミングの差を超えている場合には、前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなし、セカンダリーセルグループのプライマリーセカンダリーセルを含むタイミングアドバンスグループにおける端末装置における上りリンク送信タイミングと、前記セカンダリーセルグループのセカンダリータイミングアドバンスグループにおける端末装置における上りリンク送信タイミングとの差が、最大の送信タイミングの差を超えている場合には、前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす。【００１２】
（５）また、本発明の一様態における端末装置に搭載される集積回路は、マスターセルグループのプライマリーセルを含むタイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする機能と、セカンダリーセルグループのプライマリーセカンダリーセルを含むタイミングアドバンスグループにおける上りリンク送信タイミングと、前記セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおける物理上りリンク共用チャネルでの送信をストップする機能と、を端末装置に発揮させる。【００１３】
（６）また、本発明の一様態における基地局装置に搭載される集積回路は、マスターセルグループのプライマリーセルを含むタイミングアドバンスグループにおける端末装置における上りリンク送信タイミングと、セカンダリーセルグループのセカンダリータイミングアドバンスグループにおける端末装置における上りリンク送信タイミングとの差が、最大の送信タイミングの差を超えている場合には、前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす機能と、セカンダリーセルグループのプライマリーセカンダリーセルを含むタイミングアドバンスグループにおける端末装置における上りリンク送信タイミングと、前記セカンダリーセルグループのセカンダリータイミングアドバンスグループにおける端末装置における上りリンク送信タイミングとの差が、最大の送信タイミングの差を超えている場合には、前記セカンダリーセルグループのセカンダリータイミングアドバンスグループに対するタイマーが満了し、前記セカンダリーセルグループのセカンダリータイミングアドバンスグループにおける物理上りリンク共用チャネルでの送信がストップされるとみなす機能と、を基地局装置に発揮させる。
【発明の効果】
【００１４】
この発明によれば、上りリンクデータを効率的に送信することができる。
【図面の簡単な説明】
【００１５】
【図１】本実施形態における無線通信システムの概念を示す図である。
【図２】本実施形態におけるスロットの構成を示す図である。
【図３】本実施形態におけるセミパーシステントスケジューリングの活性化のためのスペシャルフィールドの例を示す図である。
【図４】本実施形態におけるセミパーシステントスケジューリングのリリースのためのスペシャルフィールドの例を示す図である。
【図５】本実施形態におけるノンエンプティ送信およびエンプティ送信の例を説明するための図である。
【図６】本実施形態における上りリンクデータの送信方法の例を示す図である。
【図７】本実施形態における上りリンクデータの送信方法の別の例を示す図である。
【図８】本実施形態における上りリンクデータの送信方法の別の例を示す図である。
【図９】本実施形態における上りリンクデータの送信方法の別の例を示す図である。
【図１０】本実施形態における上りリンクデータの送信方法の別の例を示す図である。
【図１１】本実施形態における上りリンクデータの送信方法の別の例を示す図である。
【図１２】本実施形態における端末装置１の構成を示す概略ブロック図である。
【図１３】本実施形態における基地局装置３の構成を示す概略ブロック図である。
【発明を実施するための形態】
【００１６】
以下、本発明の実施形態について説明する。
【００１７】
図１は、本実施形態における無線通信システムの概念図である。図１において、無線通信システムは、端末装置１Ａ〜１Ｃ、および基地局装置３を具備する。以下、端末装置１Ａ〜１Ｃを端末装置１とも称する。
【００１８】
本実施形態における物理チャネルおよび物理信号について説明する。
【００１９】
図１において、端末装置１から基地局装置３への上りリンクの無線通信では、以下の上りリンク物理チャネルが用いられる。ここで、上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２０】
ＰＵＣＣＨは、上りリンク制御情報（Uplink Control Information: UCI）を送信するために用いられる。ここで、上りリンク制御情報には、下りリンクのチャネルの状態を示すために用いられるチャネル状態情報（CSI: Channel State Information）が含まれてもよい。また、上りリンク制御情報には、ＵＬ−ＳＣＨリソースを要求するために用いられるスケジューリング要求（SR: Scheduling Request）が含まれてもよい。また、上りリンク制御情報には、ＨＡＲＱ−ＡＣＫ（Hybrid Automatic Repeat request ACKnowledgement）が含まれてもよい。ＨＡＲＱ−ＡＣＫは、下りリンクデータ（Transport block, Medium Access Control Protocol Data Unit: MAC PDU, Downlink-Shared Channel: DL-SCH, Physical Downlink Shared Channel: PDSCH）に対するＨＡＲＱ−ＡＣＫを示してもよい。
【００２１】
すなわち、ＨＡＲＱ−ＡＣＫは、ＡＣＫ（acknowledgement）またはＮＡＣＫ（negative-acknowledgement）を示してもよい。ここで、ＨＡＲＱ−ＡＣＫをＡＣＫ／ＮＡＣＫ、ＨＡＲＱフィードバック、ＨＡＲＱ応答、ＨＡＲＱ情報、または、ＨＡＲＱ制御情報とも称する。
【００２２】
ＰＵＳＣＨは、上りリンクデータ（Uplink-Shared Channel: UL-SCH）を送信するために用いられる。また、ＰＵＳＣＨは、上りリンクデータと共にＨＡＲＱ−ＡＣＫおよび／またはＣＳＩを送信するために用いられてもよい。また、ＰＵＳＣＨは、ＣＳＩのみ、または、ＨＡＲＱ−ＡＣＫおよびＣＳＩのみを送信するために用いられてもよい。すなわち、ＰＵＳＣＨは、上りリンク制御情報のみを送信するために用いられてもよい。
【００２３】
ここで、基地局装置３と端末装置１は、上位層（higher layer）において信号をやり取り（送受信）する。例えば、基地局装置３と端末装置１は、無線リソース制御（RRC: Radio Resource Control）層において、ＲＲＣシグナリング（RRC message: Radio Resource Control message、RRC information: Radio Resource Control informationとも称される）を送受信してもよい。また、基地局装置３と端末装置１は、ＭＡＣ（Medium Access Control）層において、ＭＡＣコントロールエレメントを送受信してもよい。ここで、ＲＲＣシグナリング、および／または、ＭＡＣコントロールエレメントを、上位層の信号（higher layer signaling）とも称する。
【００２４】
ＰＵＳＣＨは、ＲＲＣシグナリング、および、ＭＡＣコントロールエレメントを送信するために用いられてもよい。ここで、基地局装置３から送信されるＲＲＣシグナリングは、セル内における複数の端末装置１に対して共通のシグナリングであってもよい。また、基地局装置３から送信されるＲＲＣシグナリングは、ある端末装置１に対して専用のシグナリング（dedicated signalingとも称する）であってもよい。すなわち、ユーザー装置スペシフィック（ユーザー装置固有）な情報は、ある端末装置１に対して専用のシグナリングを用いて送信されてもよい。
【００２５】
ＰＲＡＣＨは、ランダムアクセスプリアンブルを送信するために用いられる。ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すために用いられてもよい。
【００２６】
図１において、上りリンクの無線通信では、以下の上りリンク物理信号が用いられる。ここで、上りリンク物理信号は、上位層から出力された情報を送信するために使用されないが、物理層によって使用される。
・上りリンク参照信号（Uplink Reference Signal: UL RS）
【００２７】
本実施形態において、以下の２つのタイプの上りリンク参照信号が用いられる。
・ＤＭＲＳ（Demodulation Reference Signal）
・ＳＲＳ（Sounding Reference Signal）
【００２８】
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００２９】
ＳＲＳは、ＰＵＳＣＨまたはＰＵＣＣＨの送信に関連しない。基地局装置３は、上りリンクのチャネル状態を測定するためにＳＲＳを使用する。
【００３０】
図１において、基地局装置３から端末装置１への下りリンクの無線通信では、以下の下りリンク物理チャネルが用いられる。ここで、下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
・ＰＭＣＨ（Physical Multicast Channel）
【００３１】
ＰＢＣＨは、端末装置１で共通に用いられるマスターインフォメーションブロック（Master Information Block: MIB, Broadcast Channel: BCH）を報知するために用いられる。
【００３２】
ＰＣＦＩＣＨは、ＰＤＣＣＨの送信に用いられる領域（ＯＦＤＭシンボル）を指示する情報を送信するために用いられる。
【００３３】
ＰＨＩＣＨは、基地局装置３が受信した上りリンクデータ（Uplink Shared Channel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。
【００３４】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３５】
例えば、下りリンクに対するＤＣＩフォーマットとして、１つのセルにおける１つのＰＤＳＣＨ（１つの下りリンクトランスポートブロックの送信）のスケジューリングのために用いられるＤＣＩフォーマット（例えば、ＤＣＩフォーマット１、ＤＣＩフォーマット１Ａ、および／または、ＤＣＩフォーマット１Ｃ）が定義されてもよい。
【００３６】
ここで、下りリンクに対するＤＣＩフォーマットには、ＰＤＳＣＨのスケジューリングに関する情報が含まれる。例えば、下りリンクに対するＤＣＩフォーマットには、キャリアインディケータフィールド（CIF: Carrier Indicator Field）、ＨＡＲＱプロセス番号に関する情報（HARQ process number）、ＭＣＳに関する情報（Modulation and Coding Scheme）、リダンダンシーバージョンに関する情報（Redundancy version）、および／または、リソースブロック割り当てに関する情報（Resource block assignment）などの下りリンク制御情報が含まれる。ここで、下りリンクに対するＤＣＩフォーマットを、下りリンクグラント（downlink grant）、および／または、下りリンクアサインメント（downlink assignment）とも称する。
【００３７】
また、例えば、上りリンクに対するＤＣＩフォーマットとして、１つのセルにおける１つのＰＵＳＣＨ（１つの上りリンクトランスポートブロックの送信）のスケジューリングのために用いられるＤＣＩフォーマット（例えば、ＤＣＩフォーマット０、ＤＣＩフォーマット４）が定義される。
【００３８】
ここで、上りリンクに対するＤＣＩフォーマットには、ＰＵＳＣＨのスケジューリングに関する情報が含まれる。例えば、上りリンクに対するＤＣＩフォーマットには、キャリアインディケータフィールド（CIF: Carrier Indicator Field）、スケジュールされたＰＵＳＣＨに対する送信電力コマンド（ＴＰＣコマンド）に関する情報（TPC command for scheduled PUSCH）、ＤＭＲＳに対するサイクリックシフトに関する情報（Cyclic shift DMRS）、ＭＣＳおよび／またはリダンダンシーバージョンに関する情報（Modulation and coding scheme and/or redundancy version）、および／または、リソースブロック割り当ておよび／またはホッピングリソース割り当てに関する情報（Resource block assignment and/or hopping resource allocation）、などの下りリンク制御情報が含まれる。ここで、上りリンクに対するＤＣＩフォーマットを、上りリンクグラント（uplink grant）、および／または、上りリンクアサインメント（Uplink assignment）とも称する。
【００３９】
端末装置１は、下りリンクアサインメントを用いてＰＤＳＣＨのリソースがスケジュールされた場合、スケジュールされたＰＤＳＣＨで下りリンクデータを受信してもよい。また、端末装置１は、上りリンクグラントを用いてＰＵＳＣＨのリソースがスケジュールされた場合、スケジュールされたＰＵＳＣＨで上りリンクデータおよび／または上りリンク制御情報を送信してもよい。
【００４０】
ここで、端末装置１は、ＰＤＣＣＨ候補（PDCCH candidates）および／またはＥＰＤＣＣＨ候補（EPDCCH candidates）のセットをモニタしてもよい。以下、ＰＤＣＣＨは、ＰＤＣＣＨおよび／またはＥＰＤＤＣＨを示してもよい。ここで、ＰＤＣＣＨ候補とは、基地局装置３によって、ＰＤＣＣＨが、配置および／または送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるという意味が含まれてもよい。
【００４１】
また、端末装置１が、モニタするＰＤＣＣＨ候補のセットは、サーチスペースとも称される。サーチスペースには、コモンサーチスペース（CSS: Common Search Space）が含まれてもよい。例えば、ＣＳＳは、複数の端末装置１に対して共通なスペースとして定義されてもよい。また、サーチスペースには、ユーザー装置スペシフィックサーチスペース（USS:eUE-specific Search Space）が含まれてもよい。例えば、ＵＳＳは、少なくとも、端末装置１に対して割り当てられるＣ−ＲＮＴＩに基づいて定義されてもよい。端末装置１は、ＣＳＳおよび／またはＵＳＳにおいて、ＰＤＣＣＨをモニタし、自装置宛てのＰＤＣＣＨを検出してもよい。
【００４２】
ここで、下りリンク制御情報の送信（ＰＤＣＣＨでの送信）には、基地局装置３が、端末装置１に割り当てたＲＮＴＩが利用される。具体的には、ＤＣＩフォーマット（下りリンク制御情報でもよい）にＣＲＣ（Cyclic Redundancy check: 巡回冗長検査）パリティビットが付加され、付加された後に、ＣＲＣパリティビットがＲＮＴＩによってスクランブルされる。ここで、ＤＣＩフォーマットに付加されるＣＲＣパリティビットは、ＤＣＩフォーマットのペイロードから得られてもよい。
【００４３】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも称される）。すなわち、端末装置１は、ＲＮＴＩによってスクランブルされたＣＲＣを伴うＰＤＣＣＨを検出してもよい。また、端末装置１は、ＲＮＴＩによってスクランブルされたＣＲＣパリティビットが付加されたＤＣＩフォーマットを伴うＰＤＣＣＨを検出してもよい。
【００４４】
ここで、ＲＮＴＩには、Ｃ−ＲＮＴＩ（Cell-Radio Network Temporary Identifier）が含まれてもよい。Ｃ−ＲＮＴＩは、ＲＲＣ接続およびスケジューリングの識別に対して使用される、端末装置１に対するユニークな（一意的な）識別子である。また、Ｃ−ＲＮＴＩは、動的（dynamically）にスケジュールされるユニキャスト送信のために利用されてもよい。
【００４５】
また、ＲＮＴＩには、ＳＰＳ  Ｃ−ＲＮＴＩ（Semi-Persistent Scheduling C-RNTI）が含まれてもよい。ＳＰＳ  Ｃ−ＲＮＴＩは、セミパーシステントスケジューリングに対して使用される、端末装置１に対するユニークな（一意的な）識別子である。また、ＳＰＳ  Ｃ−ＲＮＴＩは、半持続的（semi-persistently）にスケジュールされるユニキャスト送信のために利用されてもよい。
【００４６】
ここで、半持続的にスケジュールされる送信とは、周期的（periodically）にスケジュールされる送信の意味が含まれる。例えば、ＳＰＳ  Ｃ−ＲＮＴＩは、半持続的にスケジュールされる送信の活性化（activation）、再活性化（reactivation）、および／または、再送信（retransmission）のために利用されてもよい。以下、活性化には、再活性化、および／または、再送信の意味が含まれてもよい。
【００４７】
また、ＳＰＳ  Ｃ−ＲＮＴＩは、半持続的にスケジュールされた送信のリリース（release）および／または非活性化（deactivation）のために利用されてもよい。以下、リリースには、非活性化の意味が含まれてもよい。ここで、待ち時間の縮小のために、新たに、ＲＮＴＩが規定されてもよい。例えば、本実施形態におけるＳＰＳ  Ｃ−ＲＮＴＩは、待ち時間の縮小のために新たに規定されるＲＮＴＩが含まれてもよい。
【００４８】
また、ＲＮＴＩには、ＲＡ−ＲＮＴＩ（Random Access RNTI）が含まれてもよい。ＲＡ−ＲＮＴＩは、ランダムアクセスレスポンスメッセージの送信に対して使用される識別子である。すなわち、ＲＡ−ＲＮＴＩは、ランダムアクセスプロシージャにおいて、ランダムアクセスレスポンスメッセージの送信のために利用される。例えば、端末装置１は、ランダムアクセスプリアンブルを送信した場合に、ＲＡ−ＲＮＴＩによってスクランブルされたＣＲＣを伴うＰＤＣＣＨをモニタしてもよい。また、端末装置１は、ＲＡ−ＲＮＴＩによってスクランブルされたＣＲＣを伴うＰＤＣＣＨの検出に基づいてＰＤＳＣＨでランダムアクセスレスポンスを受信してもよい。
【００４９】
また、ＲＮＴＩには、Ｐ−ＲＮＴＩ（Paging RNTI）が含まれてもよい。Ｐ−ＲＮＴＩは、ページングおよびシステム情報の変化の通知に使用される識別子である。例えば、Ｐ−ＲＮＴＩは、ページングおよびシステム情報メッセージの送信のために利用される。例えば、端末装置１は、Ｐ−ＲＮＴＩによってスクランブルされたＣＲＣを伴うＰＤＣＣＨの検出に基づいてＰＤＳＣＨでページングを受信してもよい。
【００５０】
また、ＲＮＴＩには、ＳＩ−ＲＮＴＩ（System Information RNTI）が含まれてもよい。ＳＩ−ＲＮＴＩは、システム情報のブロードキャストに使用される識別子である。例えば、ＳＩ−ＲＮＴＩは、システム情報メッセージの送信のために利用される。例えば、端末装置１は、ＳＩ−ＲＮＴＩによってスクランブルされたＣＲＣを伴うＰＤＣＣＨの検出に基づいてＰＤＳＣＨでシステム情報メッセージを受信してもよい。
【００５１】
ここで、例えば、Ｃ−ＲＮＴＩによってスクランブルされたＣＲＣを伴うＰＤＣＣＨは、ＵＳＳまたはＣＳＳにおいて送信されても良い。また、ＲＡ−ＲＮＴＩによってスクランブルされたＣＲＣを伴うＰＤＣＣＨは、ＣＳＳのみにおいて送信されても良い。また、Ｐ−ＲＮＴＩによってスクランブルされたＣＲＣを伴うＰＤＣＣＨは、ＣＳＳのみにおいて送信されても良い。また、ＳＩ−ＲＮＴＩによってスクランブルされたＣＲＣを伴うＰＤＣＣＨは、ＣＳＳのみにおいて送信されても良い。
【００５２】
また、ＳＰＳ  Ｃ−ＲＮＴＩによってスクランブルされたＣＲＣを伴うＰＤＣＣＨは、プライマリーセルおよびプライマリーセカンダリーセルのみにおいて送信されても良い。また、ＳＰＳ  Ｃ−ＲＮＴＩによってスクランブルされたＣＲＣを伴うＰＤＣＣＨは、ＵＳＳまたはＣＳＳにおいて送信されても良い。
【００５３】
ＰＤＳＣＨは、下りリンクデータ（Downlink Shared Channel: DL-SCH）を送信するために用いられる。また、ＰＤＳＣＨは、システムインフォメーションメッセージを送信するために用いられる。ここで、システムインフォメーションブメッセージは、セルスペシフィック（セル固有）な情報であってもよい。また、システムインフォメーションは、ＲＲＣシグナリングに含まれる。また、ＰＤＳＣＨは、ＲＲＣシグナリング、および、ＭＡＣコントロールエレメントを送信するために用いられる。
【００５４】
ＰＭＣＨは、マルチキャストデータ（Multicast Channel: MCH）を送信するために用いられる。
【００５５】
図１において、下りリンクの無線通信では、以下の下りリンク物理信号が用いられる。ここで、下りリンク物理信号は、上位層から出力された情報を送信するために使用されないが、物理層によって使用される。
・同期信号（Synchronization signal: SS）
・下りリンク参照信号（Downlink Reference Signal: DL RS）
【００５６】
同期信号は、端末装置１が下りリンクの周波数領域および時間領域の同期をとるために用いられる。ＴＤＤ方式において、同期信号は無線フレーム内のサブフレーム０、１、５、６に配置される。ＦＤＤ方式において、同期信号は無線フレーム内のサブフレーム０と５に配置される。
【００５７】
下りリンク参照信号は、端末装置１が下りリンク物理チャネルの伝搬路補正を行なうために用いられる。ここで、下りリンク参照信号は、端末装置１が下りリンクのチャネル状態情報を算出するために用いられる。
【００５８】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（Demodulation Reference Signal）
・ＮＺＰ  ＣＳＩ−ＲＳ（Non-Zero Power Chanel State Information - Reference Signal）
・ＺＰ  ＣＳＩ−ＲＳ（Zero Power Chanel State Information - Reference Signal）
・ＭＢＳＦＮ  ＲＳ（Multimedia Broadcast and Multicast Service over Single Frequency Network Reference signal）
・ＰＲＳ（Positioning Reference Signal）
【００５９】
ここで、下りリンク物理チャネルおよび下りリンク物理信号を総称して、下りリンク信号と称する。また、上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００６０】
ＢＣＨ、ＭＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００６１】
以下、キャリアアグリゲーションについて説明する。
【００６２】
本実施形態において、端末装置１に対して、１つまたは複数のサービングセルが設定されてもよい。端末装置１が複数のサービングセルを介して通信する技術をセルアグリゲーション、または、キャリアアグリゲーションと称する。
【００６３】
ここで、端末装置１に対して設定される１つまたは複数のサービングセルのそれぞれにおいて、本実施形態が適用されてもよい。また、端末装置１に対して設定される１つまたは複数のサービングセルの一部において、本実施形態が適用されてもよい。また、端末装置１に対して設定される１つまたは複数のサービングセルのグループのそれぞれにおいて、本実施形態が適用されてもよい。
【００６４】
また、本実施形態において、ＴＤＤ（Time Division Duplex）および／またはＦＤＤ（Frequency Division Duplex）が適用されてもよい。ここで、キャリアアグリゲーションの場合において、１つまたは複数のサービングセルの全てに対してＴＤＤまたはＦＤＤが適用されてもよい。また、キャリアアグリゲーションの場合において、ＴＤＤが適用されるサービングセルとＦＤＤが適用されるサービングセルが集約されてもよい。ここで、ＦＤＤに対応するフレーム構造を、フレーム構造タイプ１（Frame structure type 1）とも称する。また、ＴＤＤに対応するフレーム構造を、フレーム構造タイプ２（Frame structure type 2）とも称する。
【００６５】
ここで、設定される１つまたは複数のサービングセルには、１つのプライマリーセルと、１つまたは複数のセカンダリーセルとが含まれてもよい。例えば、プライマリーセルは、初期コネクション確立（initial connection establishment）プロシージャが行なわれたサービングセル、コネクション再確立（connection re-establishment）プロシージャを開始したサービングセル、または、ハンドオーバプロシージャにおいてプライマリーセルと指示されたセルであってもよい。ここで、ＲＲＣコネクションが確立された時点、または、後に、セカンダリーセルが設定されてもよい。
【００６６】
ここで、下りリンクにおいて、サービングセルに対応するキャリアを、下りリンクコンポーネントキャリアと称する。また、上りリンクにおいて、サービングセルに対応するキャリアを、上りリンクコンポーネントキャリアと称する。また、下りリンクコンポーネントキャリア、および、上りリンクコンポーネントキャリアを総称して、コンポーネントキャリアと称する。
【００６７】
また、端末装置１は、１つまたは複数のサービングセル（コンポーネントキャリア）において、同時に複数の物理チャネルでの送信、および／または受信を行ってもよい。ここで、１つの物理チャネルは、複数のサービングセル（コンポーネントキャリア）のうち１つのサービングセル（コンポーネントキャリア）において送信されてもよい。
【００６８】
ここで、ＰＵＣＣＨでの送信は、プライマリーセルのみにおいて行われてもよい。また、プライマリーセルは、非活性化されない（primary cell cannot be deactivated）。また、クロスキャリアスケジューリングは、プライマリーに適用されない（Cross-carrier scheduling does not apply to primary cell）。すなわち、プライマリーセルは、常に、プライマリーセルにおけるＰＤＣＣＨを用いてスケジュールされる（primary cell is always scheduled via its PDCCH）。
【００６９】
また、セカンダリーセルは、活性化および／または非活性化される。また、あるセカンダリーセルにおいてＰＤＣＣＨ（ＰＤＣＣＨのモニタリングでもよい）が設定された場合には、クロスキャリアスケジューリングは、該あるセカンダリーセルには適用されなくてもよい（In a case that PDCCH (PDCCH monitoring) of a secondary cell is configured, cross-carries scheduling may not apply this secondary cell）。すなわち、この場合において、該セカンダリーセルは、常に、該セカンダリーセルにおけるＰＤＣＣＨを用いてスケジュールされてもよい。また、あるセカンダリーセルにおいてＰＤＣＣＨ（ＰＤＣＣＨのモニタリングでもよい）が設定されていない場合には、クロスキャリアスケジューリングが適用され、該セカンダリーセルは、常に、１つの他のサービングセル（one other serving cell）におけるＰＤＣＣＨを用いてスケジュールされてもよい。
【００７０】
以下、本実施形態におけるスロットの構成について説明する。
【００７１】
図２は、本実施形態におけるスロットの構成を示す図である。図２において、横軸は時間軸を示しており、縦軸は周波数軸を示している。ここで、ＯＦＤＭシンボルに対してノーマルＣＰ（normal Cyclic Prefix）が適用されてもよい。また、ＯＦＤＭシンボルに対して拡張ＣＰ（extended Cyclic Prefix）が適用されてもよい。また、スロットのそれぞれにおいて送信される物理信号または物理チャネルは、リソースグリッドによって表現される。
【００７２】
ここで、下りリンクにおいて、リソースグリッドは、複数のサブキャリアと複数のＯＦＤＭシンボルによって定義されてもよい。また、上りリンクにおいて、リソースグリッドは、複数のサブキャリアと複数のＳＣ−ＦＤＭＡシンボルによって定義されてもよい。また、１つのスロットを構成するサブキャリアの数は、セルの帯域幅に依存してもよい。１つのスロットを構成するＯＦＤＭシンボルまたはＳＣ−ＦＤＭＡシンボルの数は７であってもよい。ここで、リソースグリッド内のエレメントのそれぞれはリソースエレメントと称される。また、リソースエレメントは、サブキャリアの番号とＯＦＤＭシンボルまたはＳＣ−ＦＤＭＡシンボルの番号とを用いて識別されてもよい。
【００７３】
ここで、リソースブロックは、ある物理チャネル（ＰＤＳＣＨまたはＰＵＳＣＨなど）のリソースエレメントへのマッピングを表現するために用いられてもよい。また、リソースブロックは、仮想リソースブロックと物理リソースブロックが定義されてもよい。ある物理チャネルは、まず仮想リソースブロックにマップされてもよい。その後、仮想リソースブロックは、物理リソースブロックにマップされてもよい。１つの物理リソースブロックは、時間領域において７個の連続するＯＦＤＭシンボルまたはＳＣ−ＦＤＭＡシンボルと、周波数領域において１２個の連続するサブキャリアとから定義されてもよい。したがって、１つの物理リソースブロックは（７×１２）個のリソースエレメントから構成されてもよい。また、１つの物理リソースブロックは、時間領域において１つのスロットに対応し、周波数領域において１８０ｋＨｚに対応してもよい。また、物理リソースブロックは、周波数領域において０から番号が付けられてもよい。
【００７４】
ここで、本実施形態では、上りリンクデータを送信するためのスケジューリングの方法として、基本的には、セミパーシステントスケジューリング（Semi-Persistent Scheduling: SPS）として記載するが、本実施形態に記載のスケジューリングは、セミパーシステントスケジューリングに限定されるものではない。すなわち、本実施形態に記載のスケジューリングの方法は、セミパーシステントスケジューリングと呼称される必要はない。すなわち、本実施形態に記載の上りリンクデータの送信方法は、セミパーシステントスケジューリングに基づく上りリンクデータの送信方法に限られるものではなく、本実施形態に記載の上りリンクデータの送信方法と同様の送信方法であれば、本実施形態に含まれることは勿論である。
【００７５】
また、本実施形態では、端末装置１における処理を説明するために、端末装置１におけるＭＡＣエンティティ、端末装置１における”Ｍｕｌｔｉｐｌｅｘｉｎｇ  ａｎｄ  ａｓｓｅｍｂｌｙ”エンティティ（以下、第１のエンティティとも称する）、および／または、端末装置１におけるＨＡＲＱエンティティにおける処理を記載している。すなわち、本実施形態においては端末装置１におけるＭＡＣエンティティ、端末装置１における第１のエンティティ、および／または、端末装置１におけるＨＡＲＱエンティティにおける処理を記載しているが、本実施形態における処理は、端末装置１における処理であることは勿論である。
【００７６】
また、本実施形態では、基本的には、端末装置１における動作（処理）を記載するが、端末装置１の動作（処理）に対応して、基地局装置３が同様の動作（処理）を行なうことは勿論である。
【００７７】
ここで、ＰＵＳＣＨでの送信（ＵＬ−ＳＣＨでの送信でもよい）は、ＳＦＮ（System Fame Number）およびサブフレームに基づいたタイミングで行われる。すなわち、ＰＵＳＣＨでの送信を行うタイミングを特定するためには、ＳＦＮおよび該ＳＦＮが対応する無線フレームにおけるサブフレームの番号／インデックスが必要である。ここで、ＳＦＮは、無線フレームの番号／インデックスである。
【００７８】
以下、説明の簡略化のために、ＰＵＳＣＨでの送信が行われるＳＦＮ（無線フレーム）およびサブフレームを、単に、サブフレームとも記載する。すなわち、以下の記載におけるサブフレームは、ＳＦＮ（無線フレーム）およびサブフレームの意味を含んでもよい。
【００７９】
ここで、基地局装置３は、上りリンクにおけるセミパーシステントスケジューリングのインターバル（周期）を、端末装置１に対して設定してもよい。例えば、基地局装置３は、上りリンクにおけるセミパーシステントスケジューリングのインターバルの値を指示するための第１のパラメータ、および／または、第２のパラメータを、上位層の信号（ＲＲＣメッセージ）に含めて端末装置１に送信してもよい。
【００８０】
例えば、基地局装置３は、第１のパラメータ、および／または、第２のパラメータを用いて、セミパーシステントスケジューリングのインターバルの値として、１０（１０サブフレーム）、２０（２０サブフレーム）、３２（３２サブフレーム）、４０（４０サブフレーム）、６４（６４サブフレーム）、８０（８０サブフレーム）、１２８（１２８サブフレーム）、１６０（１６０サブフレーム）、３２０（３２０サブフレーム）、および／または、６４０（６４０サブフレーム）を設定してもよい。
【００８１】
また、基地局装置３は、第１のパラメータ、および／または、第２のパラメータを用いて、セミパーシステントスケジューリングのインターバルの値として、１（１サブフレーム）、１０（１０サブフレーム）、２０（２０サブフレーム）、３２（３２サブフレーム）、４０（４０サブフレーム）、６４（６４サブフレーム）、８０（８０サブフレーム）、１２８（１２８サブフレーム）、１６０（１６０サブフレーム）、３２０（３２０サブフレーム）、および／または、６４０（６４０サブフレーム）を設定してもよい。
【００８２】
すなわち、基地局装置３は、第１のパラメータ、および／または、第２のパラメータを用いて、セミパーシステントスケジューリングのインターバルの値として、１（１サブフレーム）を設定してもよい。
【００８３】
例えば、第１のパラメータ、および／または、第２のパラメータは、サービングセル毎に設定されてもよい。また、第１のパラメータは、プライマリーセルに対して設定されてもよい。また、第２のパラメータは、プライマリーセル、および／または、セカンダリーセルに対して設定されてもよい（サービングセル毎に設定されてもよい）。また、セミパーシステントスケジューリングのインターバルの値“１（１サブフレーム）”は、プライマリーセル、および／または、セカンダリーセルに対して設定されてもよい（サービングセル毎に設定されてもよい）。
【００８４】
また、基地局装置３は、上りリンクに対するＤＣＩフォーマット（例えば、ＤＣＩフォーマット０）を用いて、端末装置１に対してセミパーシステント（半永続的、半持続的、周期的）なＰＵＳＣＨのリソース（物理リソースブロック）を割り当て、且つ、セミパーシステントなＰＵＳＣＨでの送信を活性化することを端末装置１に対して指示してもよい。また、基地局装置３は、上りリンクに対するＤＣＩフォーマットを用いて、セミパーシステントなＰＵＳＣＨのリソースをリリースすることを端末装置１に対して指示してもよい。
【００８５】
例えば、端末装置１は、ＤＣＩフォーマットに付加されたＣＲＣパリティビットがＳＰＳ  Ｃ−ＲＮＴＩによってスクランブルされており、且つ、該ＤＣＩフォーマットに含まれる新データインディケータに関する情報のフィールドが‘０’にセットされている場合には、該ＤＣＩフォーマットに含まれる複数の情報のフィールドが特定の値にセットされているかを検証（確認、チェック）してもよい。すなわち、ＳＰＳ  Ｃ−ＲＮＴＩによってスクランブルされたＤＣＩフォーマットに付加されたＣＲＣパリティビット、および、新データインディケータに関する情報のフィールドが、セミパーシステントスケジューリングに対するバリデーション（validation）のために用いられてもよい。
【００８６】
ここで、もし検証に成功した場合は、端末装置１は、受信したＤＣＩフォーマットが、有効（valid）なセミパーシステントアクティベーション、または、有効なセミパーシステントリリースを指示しているとみなしてもよい（認識してもよい）。また、もし検証に成功しなかった場合は、端末装置１は、このＤＣＩフォーマットを破棄（クリア）してもよい。
【００８７】
ここで、セミパーシステントアクティベーションとは、セミパーシステントスケジューリングのアクティベーションの意味が含まれてもよい。また、セミパーシステントアクティベーションとは、ＰＵＳＣＨのリソースのセミパーシステントな割り当ての意味が含まれてもよい。また、セミパーシステントリリースとは、セミパーシステントスケジューリングのリリースの意味が含まれてもよい。
【００８８】
すなわち、ＤＣＩフォーマットは、セミパーシステントな上りリンクのスケジューリングのアクティベーションを指示するために用いられてもよい。また、ＤＣＩフォーマットは、セミパーシステントスケジューリングのアクティベーションを有効にするために用いられてもよい。また、ＤＣＩフォーマットは、セミパーシステントリリースを指示するために用いられてもよい。
【００８９】
図３は、セミパーシステントスケジューリングの活性化（activation）のためのスペシャルフィールド（Special fields）の例を示す図である。図３に示すように、セミパーシステントスケジューリングの活性化のために、複数のフィールドが規定されてもよい。また、セミパーシステントスケジューリングの活性化のために、複数のフィールドのそれぞれにセットされる所定の値（特定の値でもよい）が規定されてもよい。
【００９０】
図３に示すように、例えば、上りリンクに対するＤＣＩフォーマット（例えば、ＤＣＩフォーマット０）がセミパーシステントスケジュールの活性化に用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘００’にセットされ、ＤＭＲＳに対するサイクリックシフトに関する情報（Cyclic shift DMRS）のフィールドが‘０００’にセットされ、ＭＣＳおよびリダンダンシーバージョンに関する情報（Modulation and coding scheme and redundancy version）のフィールドの最上位のビット（MSB: most significant bit）が‘０’にセットされてもよい。
【００９１】
また、例えば、下りリンクに対するＤＣＩフォーマット（例えば、ＤＣＩフォーマット１、および／または、ＤＣＩフォーマット１Ａ）がセミパーシステントスケジュールの活性化に用いられる場合には、下りリンクに対するＤＣＩフォーマットに含まれる、ＨＡＲＱプロセス番号に関する情報（HARQ process number）のフィールドが‘０００（ＦＤＤに対して）’または‘００００（ＴＤＤに対して）’にセットされ、ＭＣＳに関する情報（Modulation and Coding scheme）のフィールドの最上位のビット（MSB）が‘０’にセットされ、リダンダンシーバージョンに関する情報（redundancy version）のフィールドが‘００’にセットされてもよい。
【００９２】
すなわち、端末装置１は、ＤＣＩフォーマットに含まれる複数の情報のフィールドのそれぞれが、予め規定された特定の値にセットされている場合に、セミパーシステントスケジューリングを活性化してもよい。ここで、セミパーシステントスケジューリングの活性化のために用いられる、複数の情報のフィールド、および、該情報のフィールドがセットされる所定の値は、上述した例に限定されないことは勿論である。例えば、セミパーシステントスケジューリングの活性化のために用いられる、複数の情報のフィールド、および、該情報のフィールドがセットされる所定の値は、仕様などによって予め定義され、基地局装置３と端末装置１との間で既知の情報としておいてもよい。
【００９３】
図４は、セミパーシステントスケジューリングのリリース（release）のためのスペシャルフィールド（Special fields）の例を示す図である。図４に示すように、セミパーシステントスケジューリングのリリースのために、複数のフィールドが規定されてもよい。また、セミパーシステントスケジューリングのリリースのために、複数のフィールドのそれぞれにセットされる所定の値（特定の値でもよい）が規定されてもよい。
【００９４】
図４に示すように、例えば、上りリンクに対するＤＣＩフォーマット（例えば、ＤＣＩフォーマット０）がセミパーシステントスケジュールのリリースに用いられる場合には、上りリンクに対するＤＣＩフォーマットに含まれる、スケジュールされたＰＵＳＣＨに対するＴＰＣコマンドに関する情報（TPC command for scheduled PUSCH）のフィールドが‘００’にセットされ、ＤＭＲＳに対するサイクリックシフトに関する情報（Cyclic shift DMRS）のフィールドが‘０００’にセットされ、ＭＣＳおよびリダンダンシーバージョンに関する情報（Modulation and coding scheme and redundancy version）のフィールドが‘１１１１１’にセットされ、リソースブロック割り当ておよびホッピングリソース割り当てに関する情報（Resource block assignment and hopping resource allocation）のフィールド（複数のフィールドの全てのフィールドでもよい）が‘１’セットされてもよい。
【００９５】
すなわち、上りリンクに対するＤＣＩフォーマットがセミパーシステントスケジューリングのリリースに用いられる場合には、リソースブロック割り当て（リソース割り当て）に関連するフィールドには、リリースのために予め規定された値がセットされてもよい。
【００９６】
また、例えば、下りリンクに対するＤＣＩフォーマット（例えば、ＤＣＩフォーマット１、および／または、ＤＣＩフォーマット１Ａ）がセミパーシステントスケジュールのリリースに用いられる場合には、下りリンクに対するＤＣＩフォーマットに含まれる、ＨＡＲＱプロセス番号に関する情報（HARQ process number）のフィールドが‘０００（ＦＤＤに対して）’または‘００００（ＴＤＤに対して）’にセットされ、ＭＣＳに関する情報（Modulation and Coding scheme）のフィールドが‘１１１１１’にセットされ、リダンダンシーバージョンに関する情報（redundancy version）のフィールドが‘００’にセットされ、リソースブロック割り当てに関する情報（Resource block assignment）のフィールド（複数のフィールドの全てのフィールドでもよい）が‘１’セットされてもよい。
【００９７】
すなわち、下りリンクに対するＤＣＩフォーマットがセミパーシステントスケジューリングのリリースに用いられる場合には、リソースブロック割り当て（リソース割り当て）に関連するフィールドには、リリースのために予め規定された値がセットされてもよい。
【００９８】
すなわち、端末装置１は、ＤＣＩフォーマットに含まれる複数の情報のフィールドのそれぞれが、予め規定された特定の値にセットされている場合に、セミパーシステントスケジューリングをリリースしてもよい。ここで、セミパーシステントスケジューリングのリリースのために用いられる、複数の情報のフィールド、および、該情報のフィールドがセットされる所定の値は、上述した例に限定されないことは勿論である。例えば、セミパーシステントスケジューリングのリリースのために用いられる、複数の情報のフィールド、および、該情報のフィールドがセットされる所定の値は、仕様などによって予め定義され、基地局装置３と端末装置１との間で既知の情報としておいてもよい。
【００９９】
ここで、セミパーシステントスケジューリングは、プライマリーセル、および、プライマリーセカンダリーセルのみにおいてサポートされてもよい。すなわち、ＳＰＳ  Ｃ−ＲＮＴＩによってスクランブルされたＣＲＣパリティビットが付加されたＤＣＩフォーマットは、プライマリーセル、および、プライマリーセカンダリーセルのみに対して送信されてもよい。また、Ｃ−ＲＮＴＩによってスクランブルされたＣＲＣパリティビットが付加されたＤＣＩフォーマットは、プライマリーセル、プライマリーセカンダリーセル、および／または、セカンダリーセルに対して送信されてもよい。
【０１００】
また、例えば、ＳＰＳ  Ｃ−ＲＮＴＩによってスクランブルされたＣＲＣパリティビットが付加されたＤＣＩフォーマットは、セミパーシステントスケジューリングのインターバルの値として“１（１サブフレーム）”がセカンダリーセルに対して設定される場合において、該セカンダリーセルに対して送信されてもよい。
【０１０１】
ここで、端末装置１は、ＵＬ−ＳＣＨでの送信（ＰＵＳＣＨを経由したＵＬ−ＳＣＨでの送信、ＰＵＳＣＨでのＵＬ−ＳＣＨの送信）を行なうために、有効な上りリンクグラント（a valid uplink grant）を持たなければならない。ここで、上りリンクグラントとは、あるサブフレームにおける上りリンクの送信がグラントされる（許可される、与えられる）ことの意味が含まれてもよい。
【０１０２】
例えば、有効な上りリンクグラントは、ＰＤＣＣＨで動的に受信されてもよい。すなわち、有効な上りリンクグラントは、Ｃ−ＲＮＴＩによってスクランブルされたＣＲＣパリティビットが付加されたＤＣＩフォーマットを用いて指示されてもよい。また、有効な上りリンクグラントは、半永続的に設定されてもよい。すなわち、有効な上りリンクグラントは、ＳＰＳ  Ｃ−ＲＮＴＩによってスクランブルされたＣＲＣパリティビットが付加されたＤＣＩフォーマットを用いて指示されてもよい。
【０１０３】
また、端末装置１は、ＰＤＣＣＨで動的に受信された上りリンクグラント、および／または、半永続的に設定された上りリンクグラントを、ストアしてもよい。ここで、ＨＡＲＱエンティティは、ＰＤＣＣＨで動的に受信された上りリンクグラント、および／または、半永続的に設定された上りリンクグラントを、ＨＡＲＱプロセスに渡し、ＨＡＲＱプロセスは、ＨＡＲＱエンティティから受信した上りリンクグラントをストアしてもよい。以下、ストアされる、ＰＤＣＣＨで動的に受信された上りリンクグラント、および／または、半永続的に設定された上りリンクグラントを、ストアされる上りリンクグラント（a stored uplink grant）と称する。
【０１０４】
また、端末装置１（ＭＡＣエンティティ）は、セミパーシステントアクティベーションが指示された場合には、設定される上りリンクグラント（a configured uplink grant）として、基地局装置３から受信したＤＣＩフォーマットをストアしてもよい。ここで、設定される上りリンクグラントは、設定されるセミパーシステントスケジューリングの上りリンクグラント（SPS UL grant）、設定されるグラントと称されてもよい。また、設定される上りリンクグラントは、設定された上りリンクグラント、設定されたセミパーシステントスケジューリングの上りリンクグラント（SPS UL grant）、設定されたグラントと称されてもよい。
【０１０５】
ここで、ＭＡＣエンティティによってストアされる上りリンクグラント（SPS UL grant）がクリアされたとことに基づいて、ＨＡＲＱプロセスによってストアされる上りリンクグラント（SPS UL grant）はクリアされなくてもよい。すなわち、ＭＡＣエンティティによってストアされる上りリンクグラント（SPS UL grant）がクリアされたとしても、ＨＡＲＱプロセスによってストアされる上りリンクグラント（SPS UL grant）に基づいて、セミパーシステントなＰＵＳＣＨに対する再送信を続行することは可能である。
【０１０６】
また、セミパーシステントスケジューリングの上りリンクグラントは、ＳＰＳ上りリンクグラント、セミパーシステントグラント（Semi-persistent grant）、セミパーシステントスケジューリングアサインメント（Semi-persistent scheduling assignment）とも称されてもよい。
【０１０７】
また、基地局装置３は、セミパーシステントスケジューリングの有効、および／または、無効を、端末装置１に対して設定してもよい。例えば、基地局装置３は、セミパーシステントスケジューリングの有効、および／または、無効を、上位層の信号（例えば、ＲＲＣ層の信号）を用いて設定してもよい。
【０１０８】
また、セミパーシステントスケジューリングが有効とされる場合には、ＳＰＳ  Ｃ−ＲＮＴＩ、上りリンクにおけるセミパーシステントスケジューリングのインターバルの値を指示するためのパラメータ、リリースする前のエンプティ送信の数（Number of empty transmissions before release）を指示するためのパラメータ（第３のパラメータとも称する）、および／または、ＳＰＳデアクティベーションタイマー（SPS deactivation timer、第４のパラメータとも称する）が、少なくとも供給（設定）されてもよい。ここで、エンプティ送信（空の送信とも称する）については、後述する。また、第３のパラメータ、および、第４のパラメータについては、後述する。
【０１０９】
ここで、例えば、端末装置１は、あるサブフレームにおいて、セミパーシステントなＰＵＳＣＨでの送信を開始（start）し、そして、数（１）に基づいて、該セミパーシステントなＰＵＳＣＨでの送信を繰り返す（recur）するために、設定される上りリンクグラントを、イニシャライズ、または、再イニシャライズしてもよい。すなわち、端末装置１は、数（１）を満たすサブフレームにおいて、設定される上りリンクグラントが生じると、連続的にみなしてもよい。
【数１】
2017047444.tif 000003
【０１１０】
すなわち、端末装置１は、ＳＰＳ上りリンクグラントを設定した後に、Ｓｕｂｆｒａｍｅ_Ｏｆｆｓｅｔ（サブフレームオフセット）の値をセットし、数（１）に基づいて特定されるサブフレームにおいて、Ｎ番目のグラント（設定される上りリンクグラント、ＳＰＳ上りリンクグラント）が発生する（occur）とみなしてもよい（順次考慮してもよい（consider sequentially））。
【０１１１】
ここで、数（１）を満たすサブフレームを、所定の条件を満たすサブフレームとも称する。また、数（１）を満たすサブフレームのうち最初のサブフレームを除くサブフレームを、所定の条件を満たすサブフレームとも称する。ここで、数（１）を満たすサブフレームのうち最初のサブフレームは、セミパーシステントスケジューリングの活性化または再活性化またはリリースを指示するために用いられるＤＣＩの受信するサブフレームであってもよい。
【０１１２】
すなわち、端末装置１は、ストアしたＤＣＩフォーマットをＳＰＳ上りリンクグラントとして設定した後に、数（１）に基づいて、Ｎ番目の設定される上りリンクグラントに対応するＰＵＳＣＨでの送信を行うサブフレームを特定してもよい。ここで、数（１）において、ＳＦＮおよびｓｕｂｆｒａｍｅは、それぞれ、ＰＵＳＣＨでの送信が行われるＳＦＮおよびサブフレームを示している。
【０１１３】
また、数（１）において、ＳＦＮｓｔａｒｔ_ｔｉｍｅおよびｓｕｂｆｒａｍｅｓｔａｒｔ＿ｔｉｍｅは、それぞれ、設定される上りリンクグラントが、イニシャライズ、または、再イニシャライズされる時点でのＳＦＮおよびサブフレームを示している。すなわち、ＳＦＮｓｔａｒｔ_ｔｉｍｅおよびｓｕｂｆｒａｍｅｓｔａｒｔ＿ｔｉｍｅは、設定される上りリンクグラントに基づいて、ＰＵＳＣＨでの送信を開始するＳＦＮおよびサブフレーム（すなわち、０番目の設定される上りリンクグラントに対応するＰＵＳＣＨでの初期送信が行われるサブフレーム）を示している。
【０１１４】
また、数（１）において、ｓｅｍｉＰｅｒｓｉｓｔＳｃｈｅｄＩｎｔｅｒｖａｌＵＬは、上りリンクにおけるセミパーシステントスケジューリングのインターバルを示している。また、数（１）において、Ｓｕｂｆｒａｍｅ_Ｏｆｆｓｅｔ（サブフレームオフセット）は、ＰＵＳＣＨでの送信が行なわれるサブフレームを特定するために用いられるオフセットの値を示している。
【０１１５】
ここで、端末装置１は、ＳＰＳ上りリンクグラントを設定した後に、もし、上位層によって、パラメータ（twoIntervalConfig）が有効とされていない場合には、数（１）におけるＳｕｂｆｒａｍｅ_Ｏｆｆｓｅｔを‘０’にセットしてもよい。
【０１１６】
また、イニシャライズは、セミパーシステントスケジューリングがアクティブされていない場合に行なわれてもよい。また、再イニシャライズは、セミパーシステントスケジューリングが既にアクティブされている場合に行なわれてもよい。ここで、イニシャライズは初期設定の意味を、再イニシャライズは再初期設定の意味を含んでもよい。すなわち、端末装置１は、設定される上りリンクグラントを、イニシャライズ、または、再イニシャライズすることによって、あるサブフレームにおいてＰＵＳＣＨでの送信を開始してもよい。
【０１１７】
図５は、ノンエンプティ送信（Non-empty transmission）およびエンプティ送信（Empty transmission）の例を説明するための図である。図５に示すように、ＭＡＣプロトコルデータユニット（MAC PDU: MAC Protocol Data Unit）は、ＭＡＣヘッダー（MAC header）、ＭＡＣサービスデータユニット（MAC SDU: MAC Service Data Unit）、ＭＡＣコントロールエレメント（MAC CE: MAC Control Element）、および、パディング（パディングビット）から構成されてもよい。ここで、ＭＡＣプロトコルデータユニットは、上りリンクデータ（ＵＬ−ＳＣＨ）に対応してもよい。
【０１１８】
ここで、ＭＡＣコントロールエレメントとして、少なくとも、バッファステータスレポートＭＡＣコントロールエレメント（BSR MAC CE: Buffer Status Report MAC CE、バッファステータスレポートに用いられるＭＡＣコントロールエレメント）、タイミングアドバンスコマンドＭＡＣコントロールエレメント（TAC MAC CE: Timing Advance Command MAC CE、タイミングアドバンスコマンドの送信に用いられるＭＡＣコントロールエレメント）、パワーヘッドルームレポートＭＡＣコントロールエレメント（PHR MAC CE: Power Headroom Report MAC CE、パワーヘッドルームレポートに用いられるＭＡＣコントロールエレメント）、および／または、活性化／非活性化ＭＡＣコントロールエレメント（Activation/Deactivation MAC CE、活性化／非活性化コマンドの送信に用いられるＭＡＣコントロールエレメント）、を含む、複数のＭＡＣコントロールエレメントが規定されてもよい。
【０１１９】
また、バッファステータスレポートとして、少なくとも、レギュラーＢＳＲ、周期的ＢＳＲ、および、パディングＢＳＲを含む、複数のバッファステータスレポートが規定されてもよい。例えば、レギュラーＢＳＲ、周期的ＢＳＲ、および、パディングＢＳＲのそれぞれは、異なるイベント（条件）に基づいてトリガされてもよい。
【０１２０】
例えば、レギュラーＢＳＲは、ある倫理チャネルグループ（LCG: Logical Channel Group）に属する論理チャネルのデータが送信可能になり、且つ、その送信優先順位がいずれかのＬＣＧに属する既に送信可能な論理チャネルより高い場合か、いずれかのＬＣＧに属する論理チャネルにおいて送信可能なデータがない場合にトリガされてもよい。また、レギュラーＢＳＲは、所定のタイマー（retxBSR-Timer）が満了し、且つ、端末装置１があるＬＣＧに属する論理チャネルにおいて送信可能なデータを持つ場合にトリガされてもよい。
【０１２１】
また、周期的ＢＳＲは、所定のタイマー（periodicBSR-Timer）が満了した場合にトリガされてもよい。また、パディングＢＳＲは、ＵＬ−ＳＣＨが割り当てられており、且つ、パディングビット数が、バッファステータスレポートＭＡＣコントロールエレメントとそのサブヘッダのサイズに等しいか、または、それより大きい場合にトリガされてもよい。
【０１２２】
端末装置１は、バッファステータスレポートを用いて、各ＬＣＧに対応した上りリンクデータの送信データバッファ量をＭＡＣ層におけるメッセージとして基地局装置３へ通知してもよい。
【０１２３】
図５に示すように、ＭＡＣプロトコルデータユニットは、ゼロ、１つ、または、複数のＭＡＣサービスデータユニットを含んでもよい。また、ＭＡＣプロトコルデータユニットは、ゼロ、１つ、または、複数のＭＡＣコントロールエレメントを含んでもよい。また、パディングは、ＭＡＣプロトコルデータユニットの最後に付加されてもよい（Padding may occur at the end of the MAC PDU）。
【０１２４】
ここで、ノンエンプティ送信は、１つまたは複数のＭＡＣサービスデータユニットが含まれる、ＭＡＣプロトコルデータユニットの送信であってもよい（少なくとも１つまたは複数のＭＡＣサービスデータユニットが含まれる、ＭＡＣプロトコルデータユニットの送信に対応してもよい）。
【０１２５】
また、ノンエンプティ送信は、１つまたは複数の第１のＭＡＣコントロールエレメントが含まれる、ＭＡＣプロトコルデータユニットの送信であってもよい（少なくとも１つまたは複数の第１のＭＡＣコントロールエレメントが含まれる、ＭＡＣプロトコルデータユニットの送信に対応してもよい）。ここで、第１のＭＡＣコントロールエレメント（第１の所定のＭＡＣコントロールエレメント）は、仕様書などによって事前に規定され、基地局装置３と端末装置１の間において既知の情報であってもよい。
【０１２６】
例えば、第１のＭＡＣコントロールエレメントには、上述した複数のＭＡＣコントロールエレメントのうちの１つ、または、全てが含まれてもよい。例えば、第１のＭＡＣコントロールエレメントは、バッファステータスレポートＭＡＣコントロールエレメントであってもよい。また、第１のＭＡＣコントロールエレメントは、パワーヘッドルームレポートＭＡＣコントロールエレメントであってもよい。
【０１２７】
また、例えば、第１のＭＡＣコントロールエレメントは、レギュラーＢＳＲが含まれるバッファステータスレポートＭＡＣコントロールエレメントであってもよい。また、第１のＭＡＣコントロールエレメントは、周期的ＢＳＲが含まれるバッファステータスレポートＭＡＣコントロールエレメントであってもよい。また、第１のＭＡＣコントロールエレメントは、パディングＢＳＲが含まれるバッファステータスレポートＭＡＣコントロールエレメントであってもよい。
【０１２８】
すなわち、ノンエンプティ送信は、１つまたは複数のＭＡＣサービスデータユニット、および／または、１つまたは複数の第１のＭＡＣコントロールエレメントが含まれる、ＭＡＣプロトコルデータユニットの送信であってもよい（少なくとも、１つまたは複数のＭＡＣサービスデータユニット、および／または、１つまたは複数の第１のＭＡＣコントロールエレメントが含まれる、ＭＡＣプロトコルデータユニットの送信に対応してもよい）。
【０１２９】
また、エンプティ送信は、パディングのみが含まれるＭＡＣプロトコルデータユニットの送信であってもよい（パディングのみが含まれるＭＡＣプロトコルデータユニットの送信に対応してもよい）。ここで、パディングのみが含まれるＭＡＣプロトコルデータユニットの送信に対して、ＭＡＣヘッダーは付加される。
【０１３０】
ここで、エンプティ送信は、１つまたは複数の第２のＭＡＣコントロールエレメントが含まれる、ＭＡＣプロトコルデータユニットの送信であってもよい（少なくとも１つまたは複数の第２のＭＡＣコントロールエレメントが含まれる、ＭＡＣプロトコルデータユニットの送信に対応してもよい）。ここで、第２のＭＡＣコントロールエレメント（第２の所定のＭＡＣコントロールエレメント）は、仕様書などによって事前に規定され、基地局装置３と端末装置１の間において既知の情報であってもよい。
【０１３１】
ここで、第２のＭＡＣコントロールエレメントは、第１のＭＡＣコントロールエレメント以外のＭＡＣコントロールエレメントであってもよい。例えば、第２のＭＡＣコントロールエレメントには、上述した複数のＭＡＣコントロールエレメントのうちの１つ、または、全てが含まれてもよい。例えば、第２のＭＡＣコントロールエレメントは、バッファステータスレポートＭＡＣコントロールエレメントであってもよい。また、第２のＭＡＣコントロールエレメントは、パワーヘッドルームレポートＭＡＣコントロールエレメントであってもよい。
【０１３２】
また、例えば、第２のＭＡＣコントロールエレメントは、レギュラーＢＳＲが含まれるバッファステータスレポートＭＡＣコントロールエレメントであってもよい。また、第２のＭＡＣコントロールエレメントは、周期的ＢＳＲが含まれるバッファステータスレポートＭＡＣコントロールエレメントであってもよい。また、第２のＭＡＣコントロールエレメントは、パディングＢＳＲが含まれるバッファステータスレポートＭＡＣコントロールエレメントであってもよい。
【０１３３】
すなわち、エンプティ送信は、パディング、および／または、１つまたは複数の第２のＭＡＣコントロールエレメントのみが含まれる、ＭＡＣプロトコルデータユニットの送信であってもよい（パディングのみ、および／または、１つまたは複数の第２のＭＡＣコントロールエレメントが含まれる、ＭＡＣプロトコルデータユニットの送信に対応してもよい）。
【０１３４】
ここで、ノンエンプティ送信、および／または、エンプティ送信は、初期送信に対応する送信であってもよい。すなわち、初期送信において、少なくとも、１つまたは複数のＭＡＣサービスデータユニット、および／または、１つまたは複数の第１のＭＡＣコントロールエレメントが含まれる、ＭＡＣプロトコルデータユニットを送信することを、ノンエンプティ送信と称してもよい。また、初期送信において、パディングのみ、および／または、１つまたは複数の第２のＭＡＣコントロールエレメントが含まれる、ＭＡＣプロトコルデータユニットを送信することを、エンプティ送信と称してもよい。
【０１３５】
また、ノンエンプティ送信、および／または、エンプティ送信は、基地局装置３によってスケジュールされたＰＵＳＣＨで実行されてもよい。例えば、ノンエンプティ送信、および／または、エンプティ送信は、Ｃ−ＲＮＴＩによってスクランブルされたＣＲＣパリティビットが付加されたＤＣＩ（ＤＣＩフォーマット）を用いてスケジュールされたＰＵＳＣＨ（すなわち、動的にスケジュールされたＰＵＳＣＨのリソース）で実行されてもよい。また、ノンエンプティ送信、および／または、エンプティ送信は、ＳＰＳ  Ｃ−ＲＮＴＩによってスクランブルされたＣＲＣパリティビットが付加されたＤＣＩ（ＤＣＩフォーマット）を用いてスケジュールされたＰＵＳＣＨ（すなわち、半永続的にスケジュールされたＰＵＳＣＨのリソース）で実行されてもよい。
【０１３６】
上述したとおり、端末装置１は、数（１）に基づいて特定されるサブフレームにおいてＰＵＳＣＨでの送信（ＵＬ−ＳＣＨでの送信）を半永続的（半持続的、周期的）に実行してもよい。ここで、端末装置１は、基地局装置３によって設定される第３のパラメータ（リリースする前のエンプティ送信の数（Number of empty transmissions before release）を指示するためのパラメータ）に基づいて、設定されるグラント（the configured grant）をクリア（clear）してもよい。
【０１３７】
例えば、端末装置１は、連続する、セミパーシステントなＰＵＳＣＨにおける、初期送信に対応するエンプティ送信の数が、第３のパラメータを用いて示された値（送信の数）に達した場合には、設定されるグラントをクリアしてもよい。
【０１３８】
すなわち、端末装置１は、それぞれにＭＡＣサービスデータユニットが含まれない（すなわち、ゼロのＭＡＣサービスデータユニットが含まれる）ＭＡＣプロトコルデータユニットであって、連続する、新しいＭＡＣプロトコルデータユニットの数に対応する第３のパラメータの後に、すぐに、設定されるグラントをクリアしてもよい（may clear the configured grant immediately after the third parameter number of consecutive new MAC PDUs each containing zero MAC SDUs）。ここで、該連続する、初期送信に対応するエンプティ送信の数は、セミパーシステントスケジューリングのリソースでのエンプティ送信の数を含む。ここで、該連続する、初期送信に対応するエンプティ送信の数は、動的にスケジュールされたＰＵＳＣＨのリソースでのエンプティ送信の数を含まない。
【０１３９】
ここで、端末装置１は、第３のパラメータに基づいて、基地局装置３によって割り当てられた上りリンクのリソース（セミパーシステントスケジューリングのリソース、ＰＵＳＣＨのリソース）をリリース（クリア）してもよい。すなわち、端末装置１は、設定されるグラントをクリアするのと同様に、第３のパラメータに基づいて、基地局装置３によって割り当てられた上りリンクのリソースをリリースしてもよい。ここで、端末装置１は、上述したセミパーシステントスケジューリングのリリースを指示するために用いられるＤＣＩフォーマットを受信した場合に、設定されるグラントをクリア、および／または、上りリンクのリソースをリリースしてもよい。
【０１４０】
以下、上述のように、端末装置１によって上りリンクデータの送信が実行され、第３のパラメータに基づいて、設定されるグラントがクリア、および／または、上りリンクのリソースがリリースされる動作を、第１の動作とも記載する。また、上述のように、端末装置１によって上りリンクデータの送信が実行され、セミパーシステントスケジューリングのリリースを指示するために用いられるＤＣＩフォーマットを受信した場合に、設定されるグラントがクリア、および／または、上りリンクのリソースがリリースされる動作を、第１の動作とも記載する。
【０１４１】
ここで、第１の動作において、端末装置１は、セミパーシステントスケジューリングのリリースを指示するために用いられるＤＣＩフォーマットを受信した場合に、すぐに、設定されるグラントをクリア、および／または、上りリンクのリソースをリリースする。すなわち、端末装置１は、セミパーシステントスケジューリングのリリースを指示するために用いられるＤＣＩフォーマットを受信した場合に、基地局装置３へ何れの情報も送信することなく、すぐに、設定されるグラントをクリア、および／または、上りリンクのリソースをリリースする。
【０１４２】
図６は、第１の動作における設定されるグラントのクリアの方法を説明するための図である。ここで、図６は、セミパーシステントスケジューリングのインターバルの値として“１（１サブフレーム）”が設定された場合の動作を記載している。
【０１４３】
図６に示すように、端末装置１は、セミパーシステントスケジューリングの活性化および／または再活性化を指示するために用いられるＤＣＩを受信してもよい。また、端末装置１は、セミパーシステントスケジューリングのリソースでのノンエンプティ送信を実行してもよい。すなわち、上述した、数（１）に従って、設定される上りリンクグラントに基づくノンエンプティ送信を実行してもよい。また、端末装置１は、セミパーシステントスケジューリングのリソースでのエンプティ送信を実行してもよい。すなわち、送信に対して利用可能なデータを持たない場合において、端末装置１は、セミパーシステントスケジューリングのリソースでのエンプティ送信を実行してもよい。
【０１４４】
ここで、セミパーシステントスケジューリングのリソースでの連続するエンプティ送信の数が、第３のパラメータを用いて設定された値（送信の数）に達した場合には、端末装置１は、設定されるグラントをクリアしてもよい。また、セミパーシステントスケジューリングのリソースでの連続するエンプティ送信の数が、第３のパラメータを用いて設定された値（送信の数）に達した場合には、端末装置１は、上りリンクのリソース（セミパーシステントスケジューリングのリソース）をリリースしてもよい。すなわち、端末装置１は、第３のパラメータに基づいて、設定されるグラントをクリア、および／または、上りリンクのリソースをリリースしてもよい。
【０１４５】
図７は、本実施形態における上りリンクデータの送信方法を説明するための図である。図７を用いて説明される上りリンクデータの送信方法は、上述までに説明してきた基地局装置３および／または端末装置１に対して適用されてもよい。以下、図７を用いて説明される動作を、第２の動作とも称する。図７は、セミパーシステントスケジューリングのインターバルの値として“１（１サブフレーム）”が設定された場合の動作を記載している。また、図７に示される送信は、セミパーシステントスケジューリングのリソースでの送信を示している。
【０１４６】
図７に示すように、基地局装置３は、端末装置１へ第４のパラメータを送信してもよい。例えば、基地局装置３は、上位層の信号（例えば、ＲＲＣ層の信号）を用いて、第４のパラメータを送信してもよい。例えば、第４のパラメータは、第２の動作（第２の動作に含まれる一部の動作でもよい）を実行することを設定するために用いられるパラメータを含んでもよい。また、第４のパラメータは、上りリンクにおけるセミパーシステントスケジューリングのインターバルの値“１（１サブフレーム）”を設定するために用いられるパラメータを含んでもよい。
【０１４７】
また、第４のパラメータは、後述する、第１のタイマー（ＳＰＳデアクティベーションタイマーとも称する）を設定するために用いられるパラメータを含んでもよい。また、第４のパラメータは、後述する、第２のタイマー（ＳＰＳ禁止タイマーとも称する）を設定するために用いられるパラメータを含んでもよい。また、第４のパラメータは、後述する、セミパーシステントスケジューリングに対応する送信が実行されないサブフレーム（セミパーシステントスケジューリングに対応する送信の実行を許可しないサブフレーム）を設定するために用いられるパラメータを含んでもよい。
【０１４８】
また、第４のパラメータは、セミパーシステントスケジューリングのリソースでのエンプティ送信を実行するかどうか（実行すること、または、実行しないこと）を設定するために用いられるパラメータを含んでもよい。
【０１４９】
すなわち、端末装置１は、基地局装置３によって送信される第４のパラメータ（例えば、上位層におけるパラメータ、ＲＲＣ層におけるパラメータ）に基づいて、第１の動作と第２の動作を切り替えてもよい。例えば、端末装置１は、第４のパラメータが設定されていない場合には第１の動作を実行し、第４のパラメータが設定されている場合には第２の動作を実行してもよい。
【０１５０】
サブフレームｎにおいて、端末装置１は、セミパーシステントスケジューリングの活性化および／または再活性化を指示するために用いられるＤＣＩ（ＤＣＩフォーマット、上りリンクグラント）を受信する。ここで、端末装置１は、セミパーシステントスケジューリングの活性化および／または再活性化を指示するために用いられるＤＣＩを受信したサブフレームに対応するサブフレーム（例えば、サブフレームｎの４サブフレーム後のサブフレーム、サブフレームｎ１）において、ノンエンプティ送信またはエンプティ送信を実行してもよい。
【０１５１】
すなわち、サブフレームｎ１において、送信に対して利用可能なデータ（available data for transmission）を持つ端末装置１は、ノンエンプティ送信を実行してもよい。ここで、端末装置１は、所定のバイト（例えば、４バイト）と等しい、または、大きいサイズの上りリンクグラントが与えられ、且つ、送信に対して利用可能なデータを持つ場合には、ノンエンプティ送信を実行してもよい。すなわち、例えば、サブフレームｎ１において、送信に対して利用可能なデータを持つ端末装置１は、パディングＢＳＲおよび／またはパディングのみの送信を実行しない。
【０１５２】
また、サブフレームｎ１において、送信に対して利用可能なデータを持たない端末装置１は、エンプティ送信を実行してもよい。ここで、端末装置１は、所定のバイト（例えば、７バイト）よりも小さいサイズのＤＣＩフォーマット（例えば、上りリンクグラント）が与えられ、且つ、送信に対して利用可能なデータを持たない場合には、エンプティ送信を実行してもよい。
【０１５３】
また、サブフレームｎ２は、端末装置１が、送信に対して利用可能なデータを持たないサブフレームを示している。ここで、サブフレームｎ２において、送信に対して利用可能なデータを持たない端末装置１は、エンプティ送信を実行しない。
【０１５４】
すなわち、第４のパラメータが設定された端末装置１は、送信に対して利用可能なデータを持たない場合において、エンプティ送信を実行しない。上述のように、第４のパラメータが設定されていない端末装置１は、送信に対して利用可能なデータを持たない場合において、エンプティ送信を実行する。すなわち、端末装置１は、第４のパラメータに基づいて、送信に対して利用可能なデータを持たない場合において、エンプティ送信を実行するのか、エンプティ送信を実行しないのかを切り替えてもよい。
【０１５５】
ここで、サブフレームｎ２において、端末装置１は、Ｃ−ＲＮＴＩによってスクランブルされたＣＲＣパリティビットが付加されたＤＣＩ（ＤＣＩフォーマット、上りリンクグラント）に対応する送信を行う場合には、常に、ノンエンプティ送信またはエンプティ送信を実行してもよい。すなわち、端末装置１は、Ｃ−ＲＮＴＩによってスクランブルされたＣＲＣパリティビットが付加されたＤＣＩを用いてＰＵＳＣＨのリソースがスケジュールされた場合には、該スケジュールされたＰＵＳＣＨのリソースを用いて、常に、ノンエンプティ送信またはエンプティ送信を実行してもよい。
【０１５６】
すなわち、Ｃ−ＲＮＴＩによってスクランブルされたＣＲＣパリティビットが付加されたＤＣＩを用いてスケジュールされたリソース（動的にスケジュールされたリソース）は、ＳＰＳ  Ｃ−ＲＮＴＩによってスクランブルされたＣＲＣパリティビットが付加されたＤＣＩを用いてスケジュールされたリソース（半永続的にスケジュールされたリソース）を上書き（override）してもよい。
【０１５７】
ここで、該スケジュールされたＰＵＳＣＨのリソースは、セミパーシステントスケジューリングのリソースを含むサービングセルのリソースでもよい。また、該スケジュールされたＰＵＳＣＨのリソースは、セミパーシステントスケジューリングのリソースを含むサービングセル以外のサービングセルのリソースでもよい。すなわち、該スケジュールされたＰＵＳＣＨのリソースは、セミパーシステントスケジューリングのリソースを含むサービングセルのリソース、または、セミパーシステントスケジューリングのリソースを含むサービングセル以外のサービングセルのリソースでもよい。
【０１５８】
すなわち、第４のパラメータが設定され、送信に対して利用可能なデータを持ち、セミパーシステントスケジューリングに対応する上りリンクグラントが与えられた端末装置１は、ノンエンプティ送信を実行してもよい。ここで、端末装置１は、セミパーシステントスケジューリングに対応する上りリンクグラントのサイズが所定のバイト（例えば、４バイト）と等しい、または、大きい場合にのみ、ノンエンプティ送信を実行してもよい。
【０１５９】
また、第４のパラメータが設定され、送信に対して利用可能なデータを持たず、セミパーシステントスケジューリングに対応する上りリンクグラントが与えられた端末装置１は、エンプティ送信を実行しない。ここで、端末装置１は、セミパーシステントスケジューリングに対応する上りリンクグラントのサイズが所定のバイト（例えば、７バイト）よりも小さい場合にのみ、エンプティ送信を実行しなくてもよい。
【０１６０】
また、第４のパラメータが設定されているかどうかに関わらず、送信に対して利用可能なデータを持ち、動的なスケジューリングに対応する上りリンクグラントが与えられた端末装置１は、ノンエンプティ送信を実行してもよい。ここで、端末装置１は、動的なスケジューリングに対応する上りリンクグラントのサイズが所定のバイト（例えば、４バイト）と等しい、または、大きい場合にのみ、ノンエンプティ送信を実行してもよい。
【０１６１】
また、第４のパラメータが設定されているかどうかに関わらず、送信に対して利用可能なデータを持たず、動的なスケジューリングに対応する上りリンクグラントが与えられた端末装置１は、エンプティ送信を実行してもよい。ここで、端末装置１は、動的なスケジューリングに対応する上りリンクグラントのサイズが所定のバイト（例えば、７バイト）よりも小さい場合にのみ、エンプティ送信を実行してもよい。
【０１６２】
また、サブフレームｎ３、サブフレームｎ４、および、サブフレームｎ５は、端末装置１が、送信に対して利用可能なデータを持つサブフレームを示している。サブフレームｎ３、サブフレームｎ４、および、サブフレームｎ５において、送信に対して利用可能なデータを持つ端末装置１は、ノンエンプティ送信を実行してもよい。
【０１６３】
サブフレームｎ６において、端末装置１は、セミパーシステントスケジューリングのリリースを指示するために用いられるＤＣＩ（ＤＣＩフォーマット、上りリンクグラント）を受信する。ここで、端末装置１は、セミパーシステントスケジューリングのリリースを指示するために用いられるＤＣＩを受信したサブフレームに対応するサブフレーム（例えば、サブフレームｎ６の４サブフレーム後のサブフレーム、サブフレームｎ７）において、ノンエンプティ送信またはエンプティ送信を実行してもよい。
【０１６４】
ここで、端末装置１は、セミパーシステントスケジューリングのリリースを指示するために用いられるＤＣＩを受信した場合には、セミパーシステントスケジューリングの活性化および／または非活性化を指示するために用いられる最新の（most recent）ＤＣＩによってスケジュールされたＰＵＳＣＨ（ＰＵＳＣＨのリソース）で、ノンエンプティ送信またはエンプティ送信を実行してもよい。すなわち、端末装置１は、ストアした、設定されるグラント（the configured grant）によってスケジュールされた、ＰＵＳＣＨ（ＰＵＳＣＨのリソース）で、ノンエンプティ送信またはエンプティ送信を実行してもよい。
【０１６５】
上述したように、セミパーシステントスケジューリングのリリースを指示するために用いられるＤＣＩにおいて、リソースブロック割り当て（リソース割り当て）に関連するフィールドには、セミパーシステントスケジューリングのリリースのために予め規定された値がセットされてもよい。従って、端末装置１は、セミパーシステントスケジューリングのリリースを指示するために用いられるＤＣＩを受信した場合には、設定されるグラント（the configured grant）に基づいて、ノンエンプティ送信またはエンプティ送信を実行してもよい。
【０１６６】
すなわち、サブフレームｎ７において、送信に対して利用可能なデータを持つ端末装置１は、設定されるグラント（the configured grant）に基づくノンエンプティ送信を実行してもよい。ここで、端末装置１は、所定のバイト（例えば、４バイト）と等しい、または、大きいサイズの上りリンクグラントが与えられ、且つ、送信に対して利用可能なデータを持つ場合には、設定されるグラント（the configured grant）に基づくノンエンプティ送信を実行してもよい。すなわち、例えば、サブフレームｎ７において、送信に対して利用可能なデータを持つ端末装置１は、パディングＢＳＲおよび／またはパディングのみの送信を実行しない。
【０１６７】
また、サブフレームｎ７において、送信に対して利用可能なデータを持たない端末装置１は、設定されるグラント（the configured grant）に基づくエンプティ送信を実行してもよい。ここで、端末装置１は、所定のバイト（例えば、７バイト）よりも小さいサイズのＤＣＩフォーマット（例えば、上りリンクグラント）が与えられ、且つ、送信に対して利用可能なデータを持たない場合には、設定されるグラント（the configured grant）に基づくエンプティ送信を実行してもよい。
【０１６８】
また、端末装置１は、ノンエンプティ送信またはエンプティ送信を実行したサブフレーム、または、該サブフレームより後のサブフレームにおいて、設定されるグラントをクリア、および／または、上りリンクのリソースをリリースしてもよい。すなわち、第４のパラメータが設定された端末装置１は、セミパーシステントスケジューリングのリリースを指示するために用いられるＤＣＩを受信した場合に、ノンエンプティ送信またはエンプティ送信を実行し、ノンエンプティ送信またはエンプティ送信を実行したサブフレーム、または、該サブフレームより後のサブフレームにおいて、設定されるグラントをクリア、および／または、上りリンクのリソースをリリースしてもよい。
【０１６９】
また、端末装置１は、セミパーシステントスケジューリングのリリースを指示するために用いられるＤＣＩを受信したサブフレーム、または、該サブフレームより後のサブフレームにおいて、設定されるグラントをクリア、および／または、上りリンクのリソースをリリースしてもよい。すなわち、第４のパラメータが設定された端末装置１は、セミパーシステントスケジューリングのリリースを指示するために用いられるＤＣＩを受信した場合に、ＨＡＲＱエンティティに設定されるグラントを渡した後に、セミパーシステントスケジューリングのリリースを指示するために用いられるＤＣＩを受信したサブフレーム、または、該サブフレームより後のサブフレームにおいて、において、設定されるグラントをクリア、および／または、上りリンクのリソースをリリースしてもよい。
【０１７０】
上述したように、第４のパラメータが設定されていない端末装置１は、セミパーシステントスケジューリングのリリースを指示するために用いられるＤＣＩを受信した場合に、基地局装置３へ何れの情報も送信することなく、設定されるグラントをクリア、および／または、上りリンクのリソースをリリースする。すなわち、端末装置１は、第４のパラメータに基づいて、セミパーシステントスケジューリングのリリースを指示するために用いられるＤＣＩを受信した場合に、ノンエンプティ送信またはエンプティ送信を実行し、その後に、設定されるグラントをクリア、および／または、上りリンクのリソースをリリースするのか、基地局装置３へ何れの情報も送信することなく、設定されるグラントをクリア、および／または、上りリンクのリソースをリリースするのか、を切り替えてもよい。
【０１７１】
上述したように、送信に対して利用可能なデータを持たない端末装置１は、エンプティ送信を実行しない。より詳細には、エンプティ送信を実行しないことは、端末装置１におけるＨＡＲＱエンティティにおける動作（処理）として規定されてもよい。すなわち、ノンエンプティ送信を実行すること、ノンエンプティ送信を実行しないこと、エンプティ送信を実行すること、および／または、エンプティ送信を実行しないことは、ＨＡＲＱエンティティにおける動作（処理）として規定されてもよい。
【０１７２】
例えば、ＨＡＲＱエンティティが、第１のエンティティから、送信のためのＭＡＣプロトコルデータユニット（the MAC PDU to transmit）を取得した後に、ＨＡＲＱプロセスに、新しい送信（初期送信）をトリガすることを指示しない（初期送信をトリガしない）ことが規定されてもよい。
【０１７３】
すなわち、第１のエンティティによって、送信のためのＭＡＣプロトコルデータユニットが供給されてもよい。また、第１のエンティティにおいて、新しい送信が実行される場合における、論理チャネルの優先付け手順（Logical Channel Prioritization procedure）が適用されてもよい。また、第１のエンティティにおいて、ＭＡＣコントロールエレメントおよびＭＡＣサービスデータユニットの多重が行なわれてもよい。
【０１７４】
また、エンプティ送信を実行しないことは、端末装置１におけるＨＡＲＱプロセスにおける動作（処理）として規定されてもよい。すなわち、ノンエンプティ送信を実行すること、ノンエンプティ送信を実行しないこと、エンプティ送信を実行すること、および／または、エンプティ送信を実行しないことは、ＨＡＲＱプロセスにおける動作（処理）として規定されてもよい。
【０１７５】
例えば、ＨＡＲＱプロセスが、ストアされる上りリンクグラント（the stored uplink grant）に従った送信の生成を、物理レイヤに指示しないことが規定されてもよい。
【０１７６】
また、エンプティ送信を実行しないことは、第１のエンティティにおける動作（処理）として規定されてもよい。すなわち、ノンエンプティ送信を実行すること、ノンエンプティ送信を実行しないこと、エンプティ送信を実行すること、および／または、エンプティ送信を実行しないことは、第１のエンティティにおける動作（処理）として規定されてもよい。ここで、第１のエンティティにおける動作（処理）とは、“Ｍｕｌｔｉｐｌｅｘｉｎｇ  ａｎｄ  ａｓｓｅｍｂｌｙ”に関連する手順におけるＭＡＣエンティティにおける動作（処理）のことであってもよい。
【０１７７】
ここで、第１のエンティティは、送信に対して利用可能なデータを持つ場合には、ＭＡＣサービスデータユニットが含まれるＭＡＣプロトコルデータユニットを生成してもよい。また、第１のエンティティは、送信に対して利用可能なデータを持たない場合には、ＭＡＣサービスデータユニットが含まれないＭＡＣプロトコルデータユニットを生成してもよい。
【０１７８】
また、第１のエンティティは、レギュラーＢＳＲがトリガされている場合には、レギュラーＢＳＲが含まれるバッファステータスレポートＭＡＣ  ＣＥが含まれるＭＡＣプロトコルデータユニットを生成してもよい。また、第１のエンティティは、周期的ＢＳＲがトリガされている場合には、周期的ＢＳＲが含まれるバッファステータスレポートＭＡＣ  ＣＥが含まれるＭＡＣプロトコルデータユニットを生成してもよい。
【０１７９】
また、第１のエンティティは、エンプティ送信が実行されない場合、該エンプティ送信に対応するＭＡＣプロトコルデータユニットを生成しなくてもよい。また、第１のエンティティは、エンプティ送信が実行されない場合、該エンプティ送信に対応するＭＡＣプロトコルデータユニットをＨＡＲＱエンティティに渡さなくてもよい。
【０１８０】
ここで、ＨＡＲＱエンティティは、エンプティ送信が実行されない場合、該エンプティ送信に対応するＭＡＣプロトコルデータユニットをＨＡＲＱプロセスに渡さなくてもよい。また、ＨＡＲＱプロセスは、エンプティ送信が実行されない場合、該エンプティ送信に対応するＭＡＣプロトコルデータユニットを物理層に渡さなくてもよい。
【０１８１】
例えば、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数のＭＡＣサービスデータユニットが含まれる、ＭＡＣプロトコルデータユニットを送信することが規定されてもよい。ここで、上述したように、ＭＡＣエンティティは、セミパーシステントスケジューリングに対応する上りリンクグラントのサイズが所定のバイト（例えば、４バイト）と等しい、または、大きい場合にのみ、ＭＡＣプロトコルデータユニットを送信してもよい。
【０１８２】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数の第１のＭＡＣコントロールエレメントが含まれる、ＭＡＣプロトコルデータユニットを送信することが規定されてもよい。ここで、上述したように、ＭＡＣエンティティは、セミパーシステントスケジューリングに対応する上りリンクグラントのサイズが所定のバイト（例えば、４バイト）と等しい、または、大きい場合にのみ、ＭＡＣプロトコルデータユニットを送信してもよい。
【０１８３】
すなわち、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数のＭＡＣサービスデータユニット、および／または、１つまたは複数の第１のＭＡＣコントロールエレメントが含まれる、ＭＡＣプロトコルデータユニットを送信することが規定されてもよい。
【０１８４】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、パディングのみが含まれる、ＭＡＣプロトコルデータユニットを送信しないことが規定されてもよい。ここで、上述したように、ＭＡＣエンティティは、セミパーシステントスケジューリングに対応する上りリンクグラントのサイズが所定のバイト（例えば、７バイト）よりも小さい場合には、ＭＡＣプロトコルデータユニットを送信してもよい。
【０１８５】
また、第４のパラメータが設定され、送信に対して利用可能なデータを持ち、ＭＡＣエンティティがセミパーシステントスケジューリングに対応する上りリンクグラントを与えられた場合には、ＭＡＣエンティティが、１つまたは複数の第２のＭＡＣコントロールエレメントが含まれる、ＭＡＣプロトコルデータユニットを送信しないことが規定されてもよい。ここで、上述したように、ＭＡＣエンティティは、セミパーシステントスケジューリングに対応する上りリンクグラントのサイズが所定のバイト（例えば、７バイト）よりも小さい場合には、ＭＡＣプロトコルデータユニットを送信してもよい。
【０１８６】
すなわち、第４のパラメータが設定され、送信に対して利用可能なデータを持ち、ＭＡＣエンティティがセミパーシステントスケジューリングに対応する上りリンクグラントを与えられた場合には、ＭＡＣエンティティが、パディングのみ、および／または、１つまたは複数の第２のＭＡＣコントロールエレメントが含まれる、ＭＡＣプロトコルデータユニットを送信しないことが規定されてもよい。
【０１８７】
また、基地局装置３は、セミパーシステントスケジューリングに対応する送信が実行されない上りリンクサブフレーム（セミパーシステントスケジューリングに対応する送信の実行を許可しない上りリンクサブフレーム）を設定するために用いられるパラメータを送信してもよい。例えば、基地局装置３は、セミパーシステントスケジューリングに対応する送信が実行されない上りリンクサブフレームを設定するために用いられるパラメータを、上位層の信号（ＲＲＣ層における信号）を用いて送信してもよい。
【０１８８】
例えば、セミパーシステントスケジューリングに対応する送信が実行されない上りリンクサブフレームは、ビットマップ方式を用いて設定され、セミパーシステントスケジューリングに対応する送信の実行を許可する上りリンクサブフレームを”０”を用い、セミパーシステントスケジューリングに対応する送信の実行を許可しない上りリンクサブフレームを”１”を用いて示してもよい。
【０１８９】
端末装置１は、セミパーシステントスケジューリングに対応する送信の実行が許可されない上りリンクサブフレームにおける、上りリンクの送信を実行しない。すなわち、送信に対して利用可能なデータを持っていたとしても（ノンエンプティ送信が生じたとしても）、セミパーシステントスケジューリングに対応する送信の実行が許可されない上りリンクサブフレームにおける、上りリンクの送信を実行しない。すなわち、端末装置１は、セミパーシステントスケジューリングに対応する送信の実行が許可される上りリンクサブフレームのみにおいて、上りリンクの送信を実行してもよい。
【０１９０】
図８は、本実施形態における上りリンクデータの送信方法を説明するための図である。図８を用いて説明される上りリンクデータの送信方法は、上述までに説明してきた基地局装置３および／または端末装置１に対して適用されてもよい。ここで、図８を用いて説明される動作は、第２の動作に含まれる。上述したように、端末装置１は、基地局装置３によって送信される第４のパラメータに基づいて、第１の動作と第２の動作を切り替えてもよい。
【０１９１】
図８において、端末装置１は、サブフレームｎ８、および、サブフレームｎ１０において、セミパーシステントスケジューリングの活性化および／または再活性化を指示するために用いられるＤＣＩ（ＤＣＩフォーマット、上りリンクグラント）をＰＤＣＣＨで受信していることを示している。また、端末装置１は、サブフレームｎ９において、所定の情報をＰＤＣＣＨ（所定のＰＤＣＣＨ）で受信していることを示している。
【０１９２】
ここで、図８に示すように、端末装置１は、サブフレームｎにおけるセミパーシステントスケジューリングの活性化および／または再活性化を指示するために用いられるＤＣＩの受信に基づいて、第１のタイマー（ＳＰＳデアクティベーションタイマーとも称する）をスタートしてもよい。すなわち、端末装置１は、セミパーシステントスケジューリングの活性化および／または再活性化を指示するために用いられるＤＣＩを受信したサブフレーム、または、該サブフレームよりも後のサブフレームにおいて、第１のタイマーをスタートしてもよい。
【０１９３】
また、端末装置１は、セミパーシステントスケジューリングの活性化および／または再活性化を指示するために用いられるＤＣＩに対応する送信を実行したサブフレーム、または、該サブフレームよりも後のサブフレームにおいて、第１のタイマーをスタートさせてもよい。例えば、端末装置１は、セミパーシステントスケジューリングの活性化および／または再活性化を指示するために用いられるＤＣＩを受信したサブフレームに対応するサブフレーム（例えば、サブフレームｎ８の４サブフレーム後のサブフレーム）において、ノンエンプティ送信またはエンプティ送信を実行し、ノンエンプティ送信またはエンプティ送信を実行したサブフレーム、または、該サブフレームより後のサブフレームにおいて、第１のタイマーをスタートさせてもよい。
【０１９４】
基地局装置３は、第１のタイマー（第１のタイマーの値）を設定するために用いられるパラメータを端末装置１へ送信してもよい。例えば、基地局装置は、第１のタイマー（第１のタイマーの値）を設定するために用いられるパラメータを、上位層の信号（例えば、ＲＲＣ層の信号）を用いて送信してもよい。端末装置１は、基地局装置３によって送信されるパラメータに基づいて、第１のタイマー（第１のタイマーの値）をセットしてもよい。
【０１９５】
また、端末装置１は、サブフレームｎ９における、所定の情報の受信に基づいて、第１のタイマーを再スタートしてもよい。例えば、端末装置１は、所定の情報を受信したサブフレーム、または、該サブフレームより後のサブフレームにおいて、第１のタイマーを再スタートさせてもよい。ここで、端末装置１は、所定の情報に対応する送信を実行したサブフレーム、または、該サブフレームより後のサブフレームにおいて、第１のタイマーを再スタートさせてもよい。また、端末装置１は、所定の情報に対応する受信を実行したサブフレーム、または、該サブフレームより後のサブフレームにおいて、第１のタイマーを再スタートさせてもよい。
【０１９６】
ここで、サブフレームｎ９において、端末装置１がどのような所定の情報を受信した場合に、第１のタイマーを再スタートするかは、予め仕様書などによって規定され、基地局装置３と端末装置１の間において既知の情報であってもよい。
【０１９７】
例えば、所定の情報は、下記の（i）から（vii）の一部または全部を満たしてもよい。（i）所定の情報は、プライマリーセルに対するＤＣＩであってもよい。
（ii）所定の情報は、セカンダリーセルに対するＤＣＩであってもよい。
（iii）所定の情報は、下りリンクに対するＤＣＩフォーマット（下りリンクに対するＤＣＩ、下りリンクアサインメント）であってもよい。
（iv）所定の情報は、上りリンクに対するＤＣＩフォーマット（上りリンクに対するＤＣＩ、上りリンクグラント）であってもよい。
（v）所定の情報は、Ｃ−ＲＮＴＩによってスクランブルされたＣＲＣパリティビットが付加されたＤＣＩであってもよい。
（vi）所定の情報は、ＳＰＳ  Ｃ−ＲＮＴＩによってスクランブルされたＣＲＣパリティビットが付加されたＤＣＩであってもよい。
（vii）所定の情報は、ＳＩ−ＲＮＴＩ、ＲＡ−ＲＮＴＩ、および、Ｐ−ＲＮＴＩの何れか１つによってスクランブルされたＣＲＣパリティビットが付加されたＤＣＩであってもよい。
【０１９８】
ここで、例えば、上記の（i）、（iv）、および、（v）を満たす所定の情報は、プライマリーセルにおける上りリンクに対するＤＣＩであって、Ｃ−ＲＮＴＩによってスクランブルされたＣＲＣパリティビットが付加されたＤＣＩであってもよい。
【０１９９】
また、端末装置１は、サブフレームｎ１０における、セミパーシステントスケジューリングの活性化および／または再活性化を指示するために用いられるＤＣＩの受信に基づいて、第１のタイマーを再スタートさせてもよい。例えば、端末装置１は、セミパーシステントスケジューリングの活性化および／または再活性化を指示するために用いられるＤＣＩを受信したサブフレーム、または、該サブフレームより後のサブフレームにおいて、第１のタイマーを再スタートさせてもよい。
【０２００】
また、端末装置１は、セミパーシステントスケジューリングの活性化および／または再活性化を指示するために用いられるＤＣＩに対応する送信（例えば、ノンエンプティ送信またはエンプティ送信）を実行したサブフレーム、または、該サブフレームより後のサブフレームにおいて、第１のタイマーを再スタートさせてもよい。
【０２０１】
サブフレームｎ１１は、第１のタイマーが満了したサブフレームを示している。端末装置１は、第１のタイマーが満了した場合には、設定されるグラント（the configured grant）をクリア（clear）してもよい。また、端末装置１は、第１のタイマーが満了した場合には、基地局装置３によって割り当てられた上りリンクのリソース（セミパーシステントスケジューリングのリソース、ＰＵＳＣＨのリソース）をリリース（クリア）してもよい。また、第１のタイマーが満了した場合、端末装置１は、第１のタイマーをストップしてもよい。
【０２０２】
すなわち、端末装置１は、第１のタイマーを保持し、第１のタイマーの満了に基づいて、関連する送信を非活性化してもよい。すなわち、第１のタイマーは、セミパーシステントスケジューリングに対応する送信を非活性化するために用いられてもよい。すなわち、端末装置１は、第１のタイマーがランニングしている間において、セミパーシステントスケジューリングのリソースにおけるノンエンプティ送信を実行してもよい。また、第１のタイマーがランニングしている間において、セミパーシステントスケジューリングのリソースにおけるエンプティ送信（第２のエンプティ送信とも称する）を実行しない。
【０２０３】
ここで、第１のタイマーは、カウンターとして示されてもよい。例えば、第１のタイマーは、設定されるグラント（the configured grant）が生じた回数（設定されるグラントが発生した数）に関するカウンターとして示されてもよい。
【０２０４】
すなわち、端末装置１は、該カウンター（第１のタイマー）が所定の値に達した場合には、設定されるグラント（the configured grant）をクリア（clear）してもよい。また、端末装置１は、該カウンター（第１のタイマー）が所定の値に達した場合には、基地局装置３によって割り当てられた上りリンクのリソース（セミパーシステントスケジューリングのリソース、ＰＵＳＣＨのリソース）をリリース（クリア）してもよい。すなわち、該所定の値を設定するために用いられるパラメータが、基地局装置３によって設定されてもよい。
【０２０５】
すなわち、端末装置１は、サブフレームｎ９における、所定の情報の受信に基づいて、該カウンター（第１のタイマー）をリセットしてもよい。例えば、端末装置１は、所定の情報を受信したサブフレーム、または、該サブフレームより後のサブフレームにおいて、該カウンター（第１のタイマー）をリセットしてもよい。ここで、端末装置１は、所定の情報に対応する送信を実行したサブフレーム、または、該サブフレームより後のサブフレームにおいて、該カウンター（第１のタイマー）をリセットしてもよい。また、端末装置１は、所定の情報に対応する受信を実行したサブフレーム、または、該サブフレームより後のサブフレームにおいて、該カウンター（第１のタイマー）をリセットしてもよい。
【０２０６】
また、端末装置１は、サブフレームｎ１０における、セミパーシステントスケジューリングの活性化および／または再活性化を指示するために用いられるＤＣＩの受信に基づいて、該カウンター（第１のタイマー）をリセットしてもよい。例えば、端末装置１は、セミパーシステントスケジューリングの活性化および／または再活性化を指示するために用いられるＤＣＩを受信したサブフレーム、または、該サブフレームより後のサブフレームにおいて、該カウンター（第１のタイマー）をリセットしてもよい。
【０２０７】
また、端末装置１は、セミパーシステントスケジューリングの活性化および／または再活性化を指示するために用いられるＤＣＩに対応する送信（例えば、ノンエンプティ送信またはエンプティ送信）を実行したサブフレーム、または、該サブフレームより後のサブフレームにおいて、該カウンター（第１のタイマー）をリセットしてもよい。
【０２０８】
上述したように、第４のパラメータが設定されていない端末装置１は、第３のパラメータ（リリースする前のエンプティ送信の数（Number of empty transmissions before release）を指示するためのパラメータ）に基づいて、設定されるグラントをクリア、および／または、上りリンクのリソースをリリースしてもよい。また、第４のパラメータが設定されている端末装置１、第１のタイマー（ＳＰＳデアクティベーションタイマー）に基づいて、設定されるグラントをクリア、および／または、上りリンクのリソースをリリースしてもよい。
【０２０９】
すなわち、端末装置１は、第４のパラメータが設定されているかどうかに基づいて、第３のパラメータに従って、設定されるグラントをクリア、および／または、上りリンクのリソースをリリースするのか、第１のタイマーを設定するために用いられるパラメータに従って、設定されるグラントをクリア、および／または、上りリンクのリソースをリリースするのか、を切り替えてもよい。
【０２１０】
図９は、本実施形態における上りリンクデータの送信方法を説明するための図である。図９を用いて説明される上りリンクデータの送信方法は、上述までに説明してきた基地局装置３および／または端末装置１に対して適用されてもよい。ここで、図９を用いて説明される動作は、第２の動作に含まれる。上述したように、端末装置１は、基地局装置３によって送信される第４のパラメータに基づいて、第１の動作と第２の動作を切り替えてもよい。
【０２１１】
図９において、端末装置１は、サブフレームｎ１２、および、サブフレームｎ１５において、セミパーシステントスケジューリングの活性化および／または再活性化を指示するために用いられるＤＣＩ（ＤＣＩフォーマット、上りリンクグラント）をＰＤＣＣＨで受信していることを示している。また、端末装置１は、サブフレームｎ１８において、所定の情報をＰＤＣＣＨ（所定のＰＤＣＣＨ）で受信していることを示している。また、端末装置１は、サブフレームｎ１９において、セミパーシステントスケジューリングのリリースを指示するために用いられるＤＣＩ（ＤＣＩフォーマット、上りリンクグラント）をＰＤＣＣＨで受信していることを示している。ここで、図９における所定の情報は、図８における所定の情報と異なってもよい。
【０２１２】
ここで、サブフレームｎ１３、および、サブフレームｎ１６は、エンプティ送信が生じたサブフレームを示している。上述したように、端末装置１は、サブフレームｎ１３において、エンプティ送信を実行しない。また、サブフレームｎ１４は、ノンエンプティ送信が生じたサブフレームを示している。上述したように、端末装置１は、サブフレームｎ１４において、ノンエンプティ送信を実行する。
【０２１３】
ここで、サブフレームｎ１４において、ノンエンプティ送信を実行した端末装置１は、第２のタイマー（ＳＰＳ禁止タイマー、SPS prohibit timerとも称する）をスタートしてもよい。すなわち、端末装置１は、ノンエンプティ送信を実行したサブフレーム、または、該サブフレームより後のサブフレームにおいて、第２のタイマーをスタートしてもよい。端末装置１は、第２のタイマーを保持し、第２のタイマーがランニングしている間は、関連する送信を禁止（ストップ）してもよい。すなわち、第２のタイマーは、セミパーシステントスケジューリングに対応する送信を禁止するために用いられてもよい。ここで、第２のタイマーは、動的にスケジュールされたリソースに対応する送信を禁止しなくてもよい。
【０２１４】
ここで、基地局装置３は、第２のタイマー（第２のタイマーの値）を設定するために用いられるパラメータを端末装置１へ送信してもよい。例えば、基地局装置は、第２のタイマー（第２のタイマーの値）を設定するために用いられるパラメータを、上位層の信号（例えば、ＲＲＣ層の信号）を用いて送信してもよい。端末装置１は、基地局装置３によって送信されるパラメータに基づいて、第２のタイマー（第２のタイマーの値）をセットしてもよい。
【０２１５】
サブフレームｎ１７は、第２のタイマーが満了したサブフレームを示している。端末装置１は、第２のタイマーが満了した場合には、関連する送信を再スタートしてもよい。例えば、端末装置１は、ノンエンプティ送信を実行してもよい。
【０２１６】
また、端末装置１は、サブフレームｎ１８における所定の情報の受信に基づいて、第２のタイマーをスタートしてもよい。すなわち、端末装置１は、所定の情報を受信したサブフレーム、または、該サブフレームよりも後のサブフレームにおいて、第２のタイマーをスタートしてもよい。また、端末装置１は、所定の情報に対応する送信を実行したサブフレーム、または、該サブフレームよりも後のサブフレームにおいて、第２のタイマーを再スタートさせてもよい。また、端末装置１は、所定の情報に対応する受信を実行したサブフレーム、または、該サブフレームよりも後のサブフレームにおいて、第２のタイマーを再スタートさせてもよい。
【０２１７】
ここで、サブフレームｎ１８において、端末装置１がどのような所定の情報を受信した場合に、第２のタイマーを再スタートするかは、予め仕様書などによって規定され、基地局装置３と端末装置１の間において既知の情報であってもよい。
【０２１８】
例えば、所定の情報は、上記の（i）から（vii）の一部または全部を満たしてもよい。（i）所定の情報は、プライマリーセルに対するＤＣＩであってもよい。
（ii）所定の情報は、セカンダリーセルに対するＤＣＩであってもよい。
（iii）所定の情報は、下りリンクに対するＤＣＩフォーマット（下りリンクに対するＤＣＩ、下りリンクアサインメント）であってもよい。
（iv）所定の情報は、上りリンクに対するＤＣＩフォーマット（上りリンクに対するＤＣＩ、上りリンクグラント）であってもよい。
（v）所定の情報は、Ｃ−ＲＮＴＩによってスクランブルされたＣＲＣパリティビットが付加されたＤＣＩであってもよい。
（vi）所定の情報は、ＳＰＳ  Ｃ−ＲＮＴＩによってスクランブルされたＣＲＣパリティビットが付加されたＤＣＩであってもよい。
（vii）所定の情報は、ＳＩ−ＲＮＴＩ、ＲＡ−ＲＮＴＩ、および、Ｐ−ＲＮＴＩの何れか１つによってスクランブルされたＣＲＣパリティビットが付加されたＤＣＩであってもよい。
【０２１９】
ここで、例えば、上記の（i）、（iv）、および、（v）を満たす所定の情報は、プライマリーセルにおける上りリンクに対するＤＣＩであって、Ｃ−ＲＮＴＩによってスクランブルされたＣＲＣパリティビットが付加されたＤＣＩであってもよい。
【０２２０】
上述したように、サブフレームｎ１２、および、サブフレームｎ１５において、セミパーシステントスケジューリングの活性化および／または再活性化を指示するために用いられるＤＣＩを受信した端末装置１は、対応するサブフレーム（例えば、サブフレームｎ１２の４つ後のサブフレーム（サブフレームｎ１３）、および、サブフレームｎ１５の４つ後のサブフレーム（サブフレームｎ１６））において、ノンエンプティ送信またはエンプティ送信を実行してもよい。
【０２２１】
ここで、端末装置１は、対応するサブフレームにおいて、エンプティ送信を実行した場合には、第２のタイマーをスタートしなくてもよい。また、端末装置１は、対応するサブフレームにおいて、ノンエンプティ送信を実行した場合には、第２のタイマーをスタートしてもよい。すなわち、端末装置１は、セミパーシステントスケジューリングの活性化および／または再活性化を指示するために用いられるＤＣＩを受信した場合に、エンプティ送信およびノンエンプティ送信のいずれかを実行したのかに基づいて、第２のタイマーをスタートさせるかどうかを切り替えてもよい。
【０２２２】
また、端末装置１は、対応するサブフレームにおいて、ノンエンプティ送信またはエンプティ送信を実行した場合には、第２のタイマーをスタートしてもよい。すなわち、端末装置１は、セミパーシステントスケジューリングの活性化および／または再活性化を指示するために用いられるＤＣＩに応じて、エンプティ送信またはノンエンプティ送信を実行した場合には、常に、第２のタイマーをスタートさせてもよい。
【０２２３】
ここで、サブフレームｎ１６における動作として記載されているように、端末装置１は、たとえ、第２のタイマーがランニングしている間であったとしても、セミパーシステントスケジューリングの活性化および／または再活性化を指示するために用いられるＤＣＩに応じて、エンプティ送信またはノンエンプティ送信を実行してもよい。また、端末装置１は、たとえ、第２のタイマーがランニングしている間であったとしても、セミパーシステントスケジューリングの活性化および／または再活性化を指示するために用いられるＤＣＩに応じて、エンプティ送信またはノンエンプティ送信を実行し、第２のタイマーを再スタートしてもよい。
【０２２４】
また、サブフレームｎ１９において、セミパーシステントスケジューリングのリリースを指示するために用いられるＤＣＩを受信した端末装置１は、対応するサブフレーム（例えば、サブフレームｎ１９の４つ後のサブフレーム（サブフレームｎ２０））において、ノンエンプティ送信またはエンプティ送信を実行してもよい。
【０２２５】
ここで、サブフレームｎ１６における動作として記載されているように、端末装置１は、たとえ、第２のタイマーがランニングしている間であったとしても、セミパーシステントスケジューリングのリリースを指示するために用いられるＤＣＩに応じて、エンプティ送信またはノンエンプティ送信を実行してもよい。また、端末装置１は、たとえ、第２のタイマーがランニングしている間であったとしても、セミパーシステントスケジューリングのリリースを指示するために用いられるＤＣＩに応じて、エンプティ送信またはノンエンプティ送信を実行し、第２のタイマーをストップしてもよい。
【０２２６】
ここで、端末装置１は、第２のタイマーをストップするとともに、第１のタイマーをストップしてもよい。例えば、端末装置１は、たとえ、第２のタイマーがランニングしている間であったとしても、セミパーシステントスケジューリングのリリースを指示するために用いられるＤＣＩに応じて、エンプティ送信またはノンエンプティ送信を実行し、第１のタイマーをストップし、且つ、第２のタイマーをストップしてもよい。
【０２２７】
図１０は、本実施形態における上りリンクデータの送信方法を説明するための図である。図１０を用いて説明される上りリンクデータの送信方法は、上述までに説明してきた基地局装置３および／または端末装置１に対して適用されてもよい。ここで、図１０を用いて説明される動作は、第２の動作に含まれる。上述したように、端末装置１は、基地局装置３によって送信される第４のパラメータに基づいて、第１の動作と第２の動作を切り替えてもよい。
【０２２８】
図１０は、第２の動作を実行する端末装置１に対して、サブフレームバンドリングオペレーションが設定された場合における動作を示している。ここで、基地局装置３は、上位層におけるパラメータ（ttiBundlingとも称する）を用いて、サブフレームバンドリングオペレーションを設定してもよい。例えば、上位層におけるパラメータを用いて、サブフレームバンドリングの使用が設定された場合、サブフレームバンドリングオペレーションは、ＵＬ−ＳＣＨのみに対して適用されてもよい。より具体的には、ＵＬ−ＳＣＨでの送信（上りリンクデータの送信）に対して、４つの連続する上りリンクサブフレーム（four consecutive uplink subframes）が用いられてもよい。ここで、４つの連続する上りリンクサブフレームを、バンドルと称してもよい。
【０２２９】
図１０に示すように、例えば、サブフレームバンドリングオペレーションが設定された端末装置１は、サブフレームｎ２１において、ノンエンプティ送信を実行してもよい。また、サブフレームｎ２２、サブフレームｎ２３、および、サブフレームｎ２４において、ノンエンプティ送信に対応する再送信を実行してもよい。ここで、サブフレームｎ２１、サブフレームｎ２２、サブフレームｎ２３、および、サブフレームｎ２４は、４つの連続する上りリンクサブフレームを示している。
【０２３０】
ここで、サブフレームバンドリングオペレーションが設定された端末装置１は、サブフレームｎ２１において、ノンエンプティ送信を実行した後に、第１のタイマーをスタートさせてもよい。また、サブフレームバンドリングオペレーションが設定された端末装置１は、サブフレームｎ２１において、ノンエンプティ送信を実行した後に、第２のタイマーをスタートさせてもよい。
【０２３１】
すなわち、端末装置１は、４つの連続する上りリンクサブフレームのうちの最初の上りリンクサブフレームにおける送信の後に、第１のタイマーをスタートさせてもよい。また、端末装置１は、４つの連続する上りリンクサブフレームのうちの最初の上りリンクサブフレームにおける送信の後に、第２のタイマーをスタートさせてもよい。
【０２３２】
ここで、端末装置１は、サブフレームｎ２１において、ノンエンプティ送信を実行した後に、第２のタイマーをスタートさせたとしても、残りの３つの連続する上りリンクサブフレームにおける上りリンクの送信は禁止されなくてもよい。すなわち、サブフレームバンドリングオペレーションが設定された端末装置１は、４つの連続する上りリンクサブフレームのうちの最初の上りリンクサブフレームにおいて第２のタイマーをスタートさせたとしても、残りの３つの連続する上りリンクサブフレーム（４つの連続するサブフレームのうちの最初の上りリンクサブフレーム以外の上りリンクサブフレーム）における上りリンクの送信は禁止されなくてもよい。
【０２３３】
ここで、サブフレームバンドリングオペレーションが設定された端末装置１は、サブフレームｎ２４において、ノンエンプティ送信に対応する再送信を実行した後に、第１のタイマーをスタートさせてもよい。また、サブフレームバンドリングオペレーションが設定された端末装置１は、サブフレームｎ２４において、ノンエンプティ送信に対応する再送信を実行した後に、第２のタイマーをスタートさせてもよい。
【０２３４】
すなわち、端末装置１は、４つの連続する上りリンクサブフレームのうちの最後の上りリンクサブフレームにおける送信の後に、第１のタイマーをスタートさせてもよい。また、端末装置１は、４つの連続する上りリンクサブフレームのうちの最後の上りリンクサブフレームにおける送信の後に、第２のタイマーをスタートさせてもよい。
【０２３５】
図１１は、本実施形態における上りリンクデータの送信方法を説明するための図である。図１１を用いて説明される上りリンクデータの送信方法は、上述までに説明してきた基地局装置３および／または端末装置１に対して適用されてもよい。
【０２３６】
ここで、基地局装置３は、端末装置１に対して、デュアルコネクティビティ（dual connectivity）に関連するセルグループ（例えば、マスターセルグループ、および／または、セカンダリーセルグループ）を設定してもよい。例えば、基地局装置３は、上位層の信号に含まれる情報（パラメータ）を用いることによって、デュアルコネクティビティに関連するセルグループを設定してもよい。
【０２３７】
ここで、デュアルコネクティビティにおいて、マスターセルグループは、プライマリーセルを含んでもよい。また、デュアルコネクティビティにおいて、セカンダリーセルグループは、プライマリーセカンダリーセルを含んでもよい。ここで、デュアルコネクティビティに関わるオペレーションに対して、マスターセルグループのプライマリーセル、および／または、セカンダリーセルグループのプライマリーセカンダリーセルは、スペシャルセルとも称される。
【０２３８】
ここで、スペシャルセル（デュアルコネクティビティにおける、マスターセルグループのプライマリーセル、および／または、セカンダリーセルグループのプライマリーセカンダリーセル）は、ＰＵＣＣＨでの送信に対して用いられてもよい。また、スペシャルセルにおいて、コンテンションベースのランダムアクセスプロシージャが実行されてもよい。すなわち、スペシャルセルは、ＰＵＣＣＨでの送信、および／または、コンテンションベースのランダムアクセス（コンテンションベースのランダムアクセスプロシージャ）をサポートしてもよい。
【０２３９】
また、デュアルコネクティビティにおいて、プライマリーセルは、非活性化されない。すなわち、プライマリーセルは、常に、活性化されている。また、デュアルコネクティビティにおいて、プライマリーセカンダリーセルは、非活性化されない。すなわち、プライマリーセカンダリーセルは、常に、活性化されている。
【０２４０】
また、デュアルコネクティビティにおいて、端末装置１は、マスターｅＮＢ（MeNB: Master eNB）、および、セカンダリーｅＮＢ（SeNB: Master eNB）と（同時に）接続してもよい。また、デュアルコネクティビティに関連するセルグループが設定された場合には、端末装置１に対して、２つのＭＡＣエンティティ（two MAC entities）が設定されていてもよい。ここで、２つのＭＡＣエンティティのうちの１つは、マスターセルグループに対するＭＡＣエンティティを示していてもよい。また、２つのＭＡＣエンティティのうちのもう１つは、セカンダリーセルグループに対するＭＡＣエンティティを示していてもよい。また、デュアルコネクティビティに関連するセルグループが設定されていない場合において、端末装置１に対して、１つのＭＡＣエンティティが設定されてもよい。
【０２４１】
すなわち、デュアルコネクティビティに関連するセルグループが設定された場合において、端末装置１において、マスターセルグループに対応する第１のＭＡＣエンティティ、および、セカンダリーセルグループに対応する第２のＭＡＣエンティティのそれぞれが、関連する処理を実行してもよい。
【０２４２】
また、基地局装置３は、端末装置１に対して、タイミングアドバンス（Timing Advance）に関連するセルグループ（例えば、プライマリータイミングアドバンスグループ、および／または、セカンダリータイミングアドバンスグループ）を設定してもよい。例えば、基地局装置３は、上位層の信号に含まれる情報（パラメータ）を用いることによって、タイミングアドバンスに関連するセルグループを設定してもよい。以下、タイミングアドバンスに関連するセルグループを、ＴＡＧ（Timing Advance Group）とも称する。
【０２４３】
例えば、同じＴＡＧに含まれる、設定された上りリンクを伴うセルに対して、同じタイミング参照セル、および、同じＴＡ（Timing Advance）の値が用いられてもよい。
【０２４４】
ここで、プライマリータイミングアドバンスグループ（PTAG: Primary Timing Advance Group）は、プライマリーセルを含むＴＡＧである。また、ＰＴＡＧに対するタイミング参照セルは、プライマリーセルである。また、プライマリーセカンダリータイミングアドバンスグループ（PSTAG: Primary Secondary Timing Advance Group）は、プライマリーセカンダリーセルを含むＴＡＧである。また、ＰＳＴＡＧに対するタイミング参照セルは、プライマリーセカンダリーセルである。
【０２４５】
また、セカンダリータイミングアドバンスグループ（STAG: Secondary Timing Advance Group）は、プライマリーセルを含まないＴＡＧであり、設定された上りリンクを伴う少なくとも１つのサービングセルを含んでもよい。ここで、ＳＴＡＧに対するタイミング参照セルは、ＳＴＡＧに含まれる何れか１つのセカンダリーセルである。
【０２４６】
基地局装置３は、ＰＴＡＧに対するＴＡ（Timing Advance）コマンドを送信してもよい。また、基地局装置３は、ＳＴＡＧに対するＴＡコマンドを送信してもよい。ここで、ＴＡコマンドは、該ＴＡコマンドが対応するＴＡＧを示すために用いられるＴＡＧアイデンティティと共に送信されてもよい。
【０２４７】
ＰＴＡＧに対するＴＡコマンドを受信した場合、端末装置１は、受信したＴＡコマンドに基づいてプライマリーセルのＰＵＳＣＨ、ＰＵＣＣＨ、および／または、ＳＲＳに対する上りリンク送信タイミングを調整してもよい。ここで、セカンダリーセルがＰＴＡＧに属する場合、該セカンダリーセルのＰＵＳＣＨ、ＰＵＣＣＨ、および／または、ＳＲＳに対する上りリンク送信タイミングは、プライマリーセルの上りリンク送信タイミングと同じであってよい。
【０２４８】
ＰＳＴＡＧに対するＴＡコマンドを受信した場合、端末装置１は、受信したＴＡコマンドに基づいてプライマリーセカンダリーセルのＰＵＳＣＨ、ＰＵＣＣＨ、および／または、ＳＲＳに対する上りリンク送信タイミングを調整してもよい。ここで、セカンダリーセルがＰＳＴＡＧに属する場合、該セカンダリーセルのＰＵＳＣＨ、ＰＵＣＣＨ、および／または、ＳＲＳに対する上りリンク送信タイミングは、プライマリーセカンダリーセルの上りリンク送信タイミングと同じであってよい。
【０２４９】
ＳＴＡＧに対するＴＡコマンドを受信した場合、端末装置１は、受信したＴＡコマンドに基づいて該ＳＴＡＧ内における全てのセカンダリーセルのＰＵＳＣＨ、ＰＵＣＣＨ、および／または、ＳＲＳに対する上りリンク送信タイミングを調整してもよい。ここで、ＰＵＳＣＨ、ＰＵＣＣＨ、および／または、ＳＲＳに対する上りリンク送信タイミングは、ＳＴＡＧ内における全てのセカンダリーセルに対して同じであってよい。
【０２５０】
例えば、端末装置１は、タイミング参照セルの下りリンク信号（例えば、同時信号）に基づいて、リファレンスタイミングを測定してもよい。また、端末装置１は、ＴＡコマンドに基づいて、上りリンク送信に対するＴＡを決定してもよい。また、端末装置１は、測定したリファレンスタイミング、および、決定したＴＡの値に基づいて、上りリンク送信タイミングを決定してもよい。
【０２５１】
ここで、端末装置１は、ＴＡＧｓ（ＰＴＡＧ、ＰＳＴＡＧ、および／または、ＳＴＡＧ）の間における送信タイミングの差（the transmission timing difference）を、最大の送信タイミングの差（the maximum transmission timing）を超えないように調整してもよい。ここで、例えば、最大の送信タイミングの差は、少なくとも、３２．４７μ秒であってもよい。
【０２５２】
例えば、端末装置１は、マスターセルグループとセカンダリーセルグループとの間における同期が取れているデュアルコネクティビィにおいて、ＴＡＧｓの間における送信タイミングの差を、最大の送信タイミングの差を超えないように調整してもよい。
【０２５３】
ここで、端末装置１は、ＴＡＧｓの間における送信タイミングの差が、最大の送信タイミングの差よりも大きくなる場合には、調整をストップしてもよい。ここで、端末装置１は、ＴＡＧｓの間における送信タイミングの差が、最大の送信タイミングの差よりも大きくなる場合には（最大の送信タイミングの差を超える場合には）、第３のタイマー（timeAlignmentTimerとも称する）が満了したとみなすことによって、上りリンクの送信をストップしてもよい。
【０２５４】
例えば、基地局装置３は、第３のタイマーを設定するために用いられるパラメータを送信してもよい。例えば、基地局装置３は、第３のタイマーを設定するために用いられるパラメータを、上位層の信号（ＲＲＣ層における信号）を用いて送信してもよい。ここで、第３のタイマーを設定するために用いられるパラメータは、ＴＡＧ毎に対して送信されてもよい。すなわち、第３のタイマーは、ＴＡＧ毎に設定されてもよい。すなわち、ＰＴＡＧ、ＰＳＴＡＧ、ＳＴＡＧのそれぞれに対して、第３のタイマーが設定されてもよい。
【０２５５】
例えば、第３のタイマーは、端末装置１が、どれくらいの期間、サービングセルが、関連されるＴＡＧに属するとみなすのか（how long the UE considers the serving cells belongs to the associated TAG to be uplink time aligned）を制御するために用いられてもよい。
【０２５６】
図１１は、マスターセルグループとセカンダリーセルグループとの間における同期が取れているデュアルコネクティビィにおける動作を示している。ここで、マスターセルグループとセカンダリーセルグループとの間における同期が取れているデュアルコネクティビィにおいて、マスターセルグループにおける下りリンクの受信タイミングと、セカンダリーセルグループにおける下りリンクの受信タイミングの差は、３３μ秒以下であってよい。
【０２５７】
図１１において、（ＮＴＡ，１＋ＮＴＡｏｆｆｓｅｔ，１）・ＴＳ秒、および、（ＮＴＡ，２＋ＮＴＡｏｆｆｓｅｔ，２）・ＴＳ秒のそれぞれは、マスターセルグループにおける下りリンク受信タイミングと、上りリンク送信タイミングとの差を示している。また、（ＮＴＡ，３＋ＮＴＡｏｆｆｓｅｔ，３）・ＴＳ秒、および、（ＮＴＡ，４＋ＮＴＡｏｆｆｓｅｔ，４）・ＴＳ秒のそれぞれは、セカンダリーセルグループにおける下りリンク受信タイミングと、上りリンク送信タイミングとの差を示している。
【０２５８】
端末装置１は、（ＮＴＡ，１＋ＮＴＡｏｆｆｓｅｔ，１）・ＴＳ秒、（ＮＴＡ，２＋ＮＴＡｏｆｆｓｅｔ，２）・ＴＳ秒、（ＮＴＡ，３＋ＮＴＡｏｆｆｓｅｔ，３）・ＴＳ秒、（ＮＴＡ，４＋ＮＴＡｏｆｆｓｅｔ，４）・ＴＳ秒、および／または、３３μｓ（マスターセルグループにおける下りリンクの受信タイミングと、セカンダリーセルグループにおける下りリンクの受信タイミングの差）に基づいて、ＴＡＧｓ（ＰＴＡＧ、ＰＳＴＡＧ、ＳＴＡＧ）の間における上りリンク送信タイミングの差を算出してもよい。
【０２５９】
ここで、ＮＴＡ，１、ＮＴＡ，２、ＮＴＡ，３、および、ＮＴＡ，４のそれぞれは、ＴＡコマンドに基づく値であってもよい。また、ＮＴＡｏｆｆｓｅｔ，１、ＮＴＡｏｆｆｓｅｔ，２、ＮＴＡｏｆｆｓｅｔ，３、および、ＮＴＡｏｆｆｓｅｔ，４のそれぞれは、対応するＴＡＧに属するサービングセルが、ＴＤＤサービングセルであるのか、ＦＤＤサービングセルであるのか、に基づいて決定される値であってもよい。例えば、ＴＤＤに対して、ＮＴＡｏｆｆｓｅｔの値は、”６２４”であってもよい。また、ＦＤＤに対して、ＮＴＡｏｆｆｓｅｔの値は、”０”であってもよい。
【０２６０】
ここで、例えば、端末装置１は、マスターセルグループのＰＴＡＧにおける上りリンク送信タイミングと、マスターセルグループのＳＴＡＧにおける上りリンク送信タイミングとの差が、最大の送信タイミングの差を超える場合には、マスターセルグループのＳＴＡＧに対する第３のタイマーが満了したとみなし、マスターセルグループのＳＴＡＧにおける上りリンクの送信をストップしてもよい。すなわち、端末装置１は、マスターセルグループのＳＴＡＧにおけるＰＵＳＣＨ、ＰＵＣＣＨ、および／または、ＳＲＳの送信をストップしてもよい。
【０２６１】
また、端末装置１は、マスターセルグループのＰＴＡＧにおける上りリンク送信タイミングと、セカンダリーセルグループのＰＳＴＡＧにおける上りリンク送信タイミングとの差が、最大の送信タイミングの差を超える場合には、セカンダリーセルグループのＰＳＴＡＧに対する第３のタイマーが満了したとみなし、セカンダリーセルグループのＰＳＴＡＧにおける上りリンクの送信をストップしてもよい。すなわち、端末装置１は、セカンダリーセルグループのＰＳＴＡＧにおけるＰＵＳＣＨ、ＰＵＣＣＨ、および／または、ＳＲＳの送信をストップしてもよい。
【０２６２】
ここで、セカンダリーセルグループのＰＳＴＡＧに対する第３のタイマーが満了したとみなした端末装置１は、設定される上りリンクグラント（the configured uplink grant）をクリアしてもよい。すなわち、端末装置１は、ストアしていた設定される上りリンクグラント（the configured uplink grant）をクリアしてもよい。また、セカンダリーセルグループのＰＳＴＡＧに対する第３のタイマーが満了したとみなした端末装置１は、上りリンクのリソース（セミパーシステントスケジューリングのリソース、ＰＵＳＣＨのリソース）をリリース（クリア）してもよい。上述のとおり、セミパーシステントスケジューリングは、プライマリーセカンダリーセルにおいて実行されてもよい。
【０２６３】
また、セカンダリーセルグループのＰＳＴＡＧに対する第３のタイマーが満了したとみなした端末装置１は、セカンダリーセルグループのＳＴＡＧに対する第３のタイマーが満了したとみなしてもよい。すなわち、端末装置１は、セカンダリーセルグループのＳＴＡＧにおけるＰＵＳＣＨ、ＰＵＣＣＨ、および／または、ＳＲＳの送信をストップしてもよい。
【０２６４】
また、端末装置１は、マスターセルグループのＰＴＡＧにおける上りリンク送信タイミングと、セカンダリーセルグループのＳＴＡＧにおける上りリンク送信タイミングとの差が、最大の送信タイミングの差を超える場合には、セカンダリーセルグループのＳＴＡＧに対する第３のタイマーが満了したとみなし、セカンダリーセルグループのＳＴＡＧにおける上りリンクの送信をストップしてもよい。すなわち、端末装置１は、セカンダリーセルグループのＳＴＡＧにおけるＰＵＳＣＨ、ＰＵＣＣＨ、および／または、ＳＲＳの送信をストップしてもよい。
【０２６５】
また、端末装置１は、マスターセルグループのＳＴＡＧにおける上りリンク送信タイミングと、セカンダリーセルグループのＰＳＴＡＧにおける上りリンク送信タイミングとの差が、最大の送信タイミングの差を超える場合には、セカンダリーセルグループのＰＳＴＡＧに対する第３のタイマーが満了したとみなし、セカンダリーセルグループのＰＳＴＡＧにおける上りリンクの送信をストップしてもよい。すなわち、端末装置１は、セカンダリーセルグループのＰＳＴＡＧにおけるＰＵＳＣＨ、ＰＵＣＣＨ、および／または、ＳＲＳの送信をストップしてもよい。
【０２６６】
上述のとおり、セカンダリーセルグループのＰＳＴＡＧに対する第３のタイマーが満了したとみなした端末装置１は、セカンダリーセルグループのＳＴＡＧに対する第３のタイマーが満了したとみなしてもよい。すなわち、端末装置１は、セカンダリーセルグループのＳＴＡＧにおけるＰＵＳＣＨ、ＰＵＣＣＨ、および／または、ＳＲＳの送信をストップしてもよい。
【０２６７】
また、端末装置１は、マスターセルグループのＳＴＡＧにおける上りリンク送信タイミングと、セカンダリーセルグループのＳＴＡＧにおける上りリンク送信タイミングとの差が、最大の送信タイミングの差を超える場合には、セカンダリーセルグループのＳＴＡＧに対する第３のタイマーが満了したとみなし、セカンダリーセルグループのＳＴＡＧにおける上りリンクの送信をストップしてもよい。すなわち、端末装置１は、セカンダリーセルグループのＳＴＡＧにおけるＰＵＳＣＨ、ＰＵＣＣＨ、および／または、ＳＲＳの送信をストップしてもよい。
【０２６８】
また、端末装置１は、セカンダリーセルグループのＰＳＴＡＧにおける上りリンク送信タイミングと、セカンダリーセルグループのＳＴＡＧにおける上りリンク送信タイミングとの差が、最大の送信タイミングの差を超える場合には、セカンダリーセルグループのＳＴＡＧに対する第３のタイマーが満了したとみなし、セカンダリーセルグループのＳＴＡＧにおける上りリンクの送信をストップしてもよい。すなわち、端末装置１は、セカンダリーセルグループのＳＴＡＧにおけるＰＵＳＣＨ、ＰＵＣＣＨ、および／または、ＳＲＳの送信をストップしてもよい。
【０２６９】
すなわち、例えば、第３のタイマーが満了したとみなされる、セルグループおよび／またはＴＡＧｓに対して、優先付けがされてもよい。例えば、上述のように、マスターセルグループのＰＴＡＧ＞マスターセルグループのＳＴＡＧ＞セカンダリーセルグループのＰＳＴＡＧ＞セカンダリーセルグループのＳＴＡＧのように優先付けがされてもよい。ここで、セルグループおよび／またはＴＡＧｓに対して、どのように優先付けがされるかは、仕様書などによって予め規定されてもよい。すなわち、セルグループおよび／またはＴＡＧｓに対する優先付けは、上述のような優先付けに限定されるものではなく、同様の優先付けであれば、本実施形態に含めることは勿論である。
【０２７０】
以上、図面を参照して、上述までに記載してきた動作は、１つのサービングセルのみ（例えば、プライマリーセルのみ）で行われる動作として限定されてもよい。例えば、セミパーシステントスケジューリングに対応する動作、および、動的なスケジューリングに対応する動作が、１つのサービングセルのみで行われた場合にのみ、上述までに記載してきた動作が適用されてもよい。すなわち、例えば、セミパーシステントスケジューリングに対応する動作が、あるサービングセル（例えば、プライマリーセル）で行なわれ、動的なスケジューリングに対応する動作が、該あるサービングセルとは異なるサービングセル（例えば、セカンダリーセル）で行なわれた場合には、上述までに記載してきた動作は適用されなくてもよい。
【０２７１】
また、上述までに記載してきた動作は、複数のサービングセル（例えば、プライマリーセル、および、セカンダリーセル）を跨いで行われる動作であってもよい。例えば、セミパーシステントスケジューリングに対応する動作が、あるサービングセル（例えば、プライマリーセル）で行なわれ、動的なスケジューリングに対応する動作が、該あるサービングセルとは異なるサービングセル（例えば、セカンダリーセル）で行なわれた場合であっても、上述までに記載してきた動作が適用されてもよい。
【０２７２】
以下、本実施形態における装置の構成について説明する。
【０２７３】
図１２は、本実施形態における端末装置１の構成を示す概略ブロック図である。図に示すように、端末装置１は、上位層処理部１０１、制御部１０３、受信部１０５、送信部１０７と送受信アンテナ部１０９を含んで構成される。また、上位層処理部１０１は、無線リソース制御部１０１１、スケジューリング情報解釈部１０１３、および、ＳＰＳ制御部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【０２７４】
上位層処理部１０１は、ユーザーの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０２７５】
上位層処理部１０１が備える無線リソース制御部１０１１は、自装置の各種設定情報／パラメータの管理をする。無線リソース制御部１０１１は、基地局装置３から受信した上位層の信号に基づいて各種設定情報／パラメータをセットする。すなわち、無線リソース制御部１０１１は、基地局装置３から受信した各種設定情報／パラメータを示す情報に基づいて各種設定情報／パラメータをセットする。また、無線リソース制御部１０１１は、上りリンクの各チャネルに配置される情報を生成し、送信部１０７に出力する。無線リソース制御部１０１１を設定部１０１１とも称する。
【０２７６】
ここで、上位層処理部１０１が備えるスケジューリング情報解釈部１０１３は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。
【０２７７】
また、上位層処理部１０１が備えるＳＰＳ制御部１０１５は、各種設定情報、および、パラメータなどＳＰＳに関連する情報、状況に基づいて、ＳＰＳに関連する制御を行う。
【０２７８】
また、制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【０２７９】
また、受信部１０５は、制御部１０３から入力された制御信号に従って、送受信アンテナ部１０９を介して基地局装置３から受信した受信信号を、分離、復調、復号し、復号した情報を上位層処理部１０１に出力する。
【０２８０】
また、無線受信部１０５７は、送受信アンテナ部１０９を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からＣＰ（Cyclic Prefix）に相当する部分を除去し、ＣＰを除去した信号に対して高速フーリエ変換（Fast Fourier Transform: FFT）を行い、周波数領域の信号を抽出する。
【０２８１】
また、多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【０２８２】
また、復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【０２８３】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【０２８４】
また、チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。チャネル測定部１０５９は、ＣＱＩ（ＣＳＩでもよい）の算出のために、チャネル測定、および／または、干渉測定を行なう。
【０２８５】
また、送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ部１０９を介して基地局装置３に送信する。また、送信部１０７は、上りリンク制御情報を送信する。
【０２８６】
また、符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【０２８７】
また、変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ（Multiple Input Multiple Output）ＳＭ（Spatial Multiplexing）を用いることにより同一のＰＵＳＣＨで送信される複数の上りリンクデータを、複数の系列にマッピングし、この系列に対してプレコーディング（precoding）を行なう。
【０２８８】
また、上りリンク参照信号生成部１０７９は、基地局装置３を識別するための物理レイヤセル識別子（physical layer cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【０２８９】
また、無線送信部１０７７は、多重された信号を逆高速フーリエ変換（Inverse Fast Fourier Transform: IFFT）して、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、ローパスフィルタを用いて余分な周波数成分を除去し、搬送波周波数にアップコンバート（up convert）し、電力増幅し、送受信アンテナ部１０９に出力して送信する。
【０２９０】
図１３は、本実施形態における基地局装置３の構成を示す概略ブロック図である。図に示すように、基地局装置３は、上位層処理部３０１、制御部３０３、受信部３０５、送信部３０７、および、送受信アンテナ部３０９、を含んで構成される。また、上位層処理部３０１は、無線リソース制御部３０１１、スケジューリング部３０１３、および、ＳＰＳ制御部３０１５を含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【０２９１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０２９２】
また、上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（ControlのElement）などを生成し、又は上位ノードから取得し、送信部３０７に出力する。また、無線リソース制御部３０１１は、端末装置１各々の各種設定情報／パラメータの管理をする。無線リソース制御部３０１１は、上位層の信号を介して端末装置１各々に対して各種設定情報／パラメータをセットしてもよい。すなわち、無線リソース制御部１０１１は、各種設定情報／パラメータを示す情報を送信／報知する。無線リソース制御部３０１１を設定部３０１１とも称する。
【０２９３】
また、上位層処理部３０１が備えるスケジューリング部３０１３は、受信したチャネル状態情報およびチャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１３は、スケジューリング結果に基づき、受信部３０５、および送信部３０７の制御を行なうために制御情報（例えば、ＤＣＩフォーマット）を生成し、制御部３０３に出力する。スケジューリング部３０１３は、さらに、送信処理および受信処理を行うタイミングを決定する。
【０２９４】
また、上位層処理部３０１が備えるＳＰＳ制御部３０１５は、各種設定情報、および、パラメータなどＳＰＳに関連する情報、状況に基づいて、ＳＰＳに関連する制御を行う。
【０２９５】
また、制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０２９６】
また、受信部３０５は、制御部３０３から入力された制御信号に従って、送受信アンテナ部３０９を介して端末装置１から受信した受信信号を分離、復調、復号し、復号した情報を上位層処理部３０１に出力する。無線受信部３０５７は、送受信アンテナ部３０９を介して受信された上りリンクの信号を、直交復調によりベースバンド信号に変換し（ダウンコンバート:down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。また、受信部３０５は、上りリンク制御情報を受信する。
【０２９７】
また、無線受信部３０５７は、変換したディジタル信号からＣＰ（Cyclic Prefix）に相当する部分を除去する。無線受信部３０５７は、ＣＰを除去した信号に対して高速フーリエ変換（Fast Fourier Transform:FFT）を行い、周波数領域の信号を抽出し多重分離部３０５５に出力する。
【０２９８】
また、多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【０２９９】
また、復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。復調部３０５３は、端末装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【０３００】
また、復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【０３０１】
また、送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ部３０９を介して端末装置１に信号を送信する。
【０３０２】
また、符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０３０３】
また、下りリンク参照信号生成部３０７９は、基地局装置３を識別するための物理レイヤセル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０３０４】
また、無線送信部３０７７は、多重された変調シンボルなどを逆高速フーリエ変換（Inverse Fast Fourier Transform: IFFT）して、ＯＦＤＭシンボルを生成し、生成したＯＦＤＭシンボルにＣＰを付加し、ベースバンドのディジタル信号を生成し、ベースバンドのディジタル信号をアナログ信号に変換し、ローパスフィルタにより余分な周波数成分を除去し、搬送波周波数にアップコンバート（up convert）し、電力増幅し、送受信アンテナ部３０９に出力して送信する。
【０３０５】
より具体的には、本実施形態における端末装置１は、基地局装置から受信した上りリンクグラントを、設定される上りリンクグラント（a configured uplink grant）としてストアする上位層処理部１０１と、所定の条件を満たすサブフレームにおいて発生されるとみなされる前記設定される上りリンクグラントに基づいて、ＭＡＣプロトコルデータユニットの送信を実行する送信部１０７と、セミパーシステントスケジューリングのリリースを指示するために用いられる上りリンクグラントの受信に応じて、前記設定される上りリンクグラントに基づく前記ＭＡＣプロトコルデータユニットの送信を実行する送信部１０７、且つ、前記設定される上りリンクグラントをクリアする上位層処理部１０１と、を備え、前記セミパーシステントスケジューリングのリリースを指示するために用いられる上りリンクグラントに含まれるリソース割り当てに関する情報のフィールドは、セミパーシステントスケジューリングのリリースのために規定された所定の値がセットされる。
【０３０６】
また、本実施形態における基地局装置３は、端末装置１へ送信した上りリンクグラントが、設定される上りリンクグラント（a configured uplink grant）としてストアされるとみなす上位層処理部３０１と、所定の条件を満たすサブフレームにおいて発生されるとみなされる前記設定される上りリンクグラントに基づいて、ＭＡＣプロトコルデータユニットの受信を実行する受信部３０５と、セミパーシステントスケジューリングのリリースを指示するために用いられる上りリンクグラントの送信に応じて、前記設定される上りリンクグラントに基づく前記ＭＡＣプロトコルデータユニットの受信を実行する受信部３０５、且つ、前記設定される上りリンクグラントがクリアされるとみなす上位層処理部３０１と、を備え、前記セミパーシステントスケジューリングのリリースを指示するために用いられる上りリンクグラントに含まれるリソース割り当てに関する情報のフィールドは、セミパーシステントスケジューリングのリリースのために規定された所定の値がセットされる。
【０３０７】
また、本実施形態における端末装置１は、リリースする前のエンプティ送信の数を指示するための第１のパラメータ、および、第１のカウンターを設定するための第２のパラメータを受信する受信部１０５と、前記第１のパラメータが設定され、且つ、設定される上りリンクグラント（a configured uplink grant）に基づく連続するエンプティ送信の数が、前記第１のパラメータを用いて示された数に達した場合には、前記設定される上りリンクグラントをクリアする上位層処理部１０１と、前記第２のパラメータが設定され、且つ、前記設定される上りリンクグラントが発生した数が、前記第２のパラメータを用いて示された数に達した場合には、前記設定される上りリンクグラントをクリアする上位層処理部１０１と、を備え、前記連続するエンプティ送信のそれぞれは、初期送信に対応し、第１の所定の情報が含まれないＭＡＣプロトコルデータユニットの送信である。
【０３０８】
また、本実施形態における端末装置１は、リリースする前のエンプティ送信の数を指示するための第１のパラメータ、および、第１のタイマーを設定するための第２のパラメータを受信し、前記第１のパラメータが設定され、且つ、設定される上りリンクグラント（a configured uplink grant）に基づく連続するエンプティ送信の数が、前記第１のパラメータを用いて示された数に達した場合には、前記設定される上りリンクグラントをクリアする上位層処理部１０１と、前記第２のパラメータが設定され、且つ、前記第２のパラメータを用いて示されたタイマーが満了した場合には、前記設定される上りリンクグラントをクリアする上位層処理部１０１と、を備え、前記連続するエンプティ送信のそれぞれは、初期送信に対応し、第１の所定の情報が含まれないＭＡＣプロトコルデータユニットの送信である。
【０３０９】
また、本実施形態における基地局装置３は、リリースする前のエンプティ送信の数を指示するための第１のパラメータ、および、第１のカウンターを設定するための第２のパラメータを送信する送信部３０７と、前記第１のパラメータを設定し、且つ、設定される上りリンクグラント（a configured uplink grant）に基づく連続するエンプティ送信の数が、前記第１のパラメータを用いて示された数に達した場合には、前記設定される上りリンクグラントがクリアされるとみなす上位層処理部３０１と、前記第２のパラメータを設定し、且つ、前記設定される上りリンクグラントが発生した数が、前記第２のパラメータを用いて示された数に達した場合には、前記設定される上りリンクグラントがクリアされるとみなす上位層処理部３０１と、を備え、前記連続するエンプティ送信のそれぞれは、初期送信に対応し、第１の所定の情報が含まれないＭＡＣプロトコルデータユニットの送信である。
【０３１０】
また、本実施形態における基地局装置３は、リリースする前のエンプティ送信の数を指示するための第１のパラメータ、および、第１のタイマーを設定するための第２のパラメータを送信する送信部３０７と、前記第１のパラメータを設定し、且つ、設定される上りリンクグラント（a configured uplink grant）に基づく連続するエンプティ送信の数が、前記第１のパラメータを用いて示された数に達した場合には、前記設定される上りリンクグラントがクリアされるとみなす上位層処理部３０１と、前記第２のパラメータを設定し、且つ、前記第２のパラメータを用いて示されたタイマーが満了した場合には、前記設定される上りリンクグラントがクリアされるとみなす上位層処理部３０１と、を備え、前記連続するエンプティ送信のそれぞれは、初期送信に対応し、第１の所定の情報が含まれないＭＡＣプロトコルデータユニットの送信である。
【０３１１】
また、本実施形態における端末装置１は、基地局装置から受信した上りリンクグラントを、設定される上りリンクグラント（a configured uplink grant）としてストアする上位層処理部１０１と、タイマーがランニングしていない間は、所定の条件を満たすサブフレームにおいて発生されるとみなされる前記設定される上りリンクグラントに基づく所定の情報が含まれるＭＡＣプロトコルデータユニットの送信を実行する送信部１０７と、前記タイマーがランニングしている間は、前記所定の情報が前記ＭＡＣプロトコルデータユニットに含まれているかどうかに関わらず、前記所定の条件を満たすサブフレームにおいて発生されるとみなされる前記設定される上りリンクグラントに基づく前記ＭＡＣプロトコルデータユニットの送信を実行しない送信部１０７と、を備え、前記タイマーは、前記所定の情報が含まれるＭＡＣプロトコルデータユニットの送信に基づいてスタートされる。
【０３１２】
また、前記送信部１０７は、前記タイマーがランニングしているかどうか、且つ、前記所定の情報が前記ＭＡＣプロトコルデータユニットに含まれているかどうかに関わらず、セミパーシステントスケジューリングの活性化または再活性化を指示するために用いられる上りリンクグラントの受信に応じて、前記設定される上りリンクグラントに基づく前記ＭＡＣプロトコルデータユニットの送信を実行する。
【０３１３】
また、前記送信部１０７は、前記タイマーがランニングしているかどうか、且つ、前記所定の情報が前記ＭＡＣプロトコルデータユニットに含まれているかどうかに関わらず、セミパーシステントスケジューリングのリリースを指示するために用いられる上りリンクグラントの受信に応じて、前記設定される上りリンクグラントに基づく前記ＭＡＣプロトコルデータユニットの送信を実行し、且つ、前記上位層処理部１０１は、前記タイマーをストップする。
【０３１４】
また、本実施形態における基地局装置３は、端末装置へ送信した上りリンクグラントが、設定される上りリンクグラント（a configured uplink grant）としてストアされるとみなす上位層処理部３０１と、タイマーがランニングしていない間は、所定の条件を満たすサブフレームにおいて発生されるとみなされる前記設定される上りリンクグラントに基づく所定の情報が含まれるＭＡＣプロトコルデータユニットの受信を実行する受信部３０５と、前記タイマーがランニングしている間は、前記所定の情報が前記ＭＡＣプロトコルデータユニットに含まれているかどうかに関わらず、前記所定の条件を満たすサブフレームにおいて発生されるとみなされる前記設定される上りリンクグラントに基づく前記ＭＡＣプロトコルデータユニットの受信を実行しない受信部３０５と、を備え、前記タイマーは、前記所定の情報が含まれるＭＡＣプロトコルデータユニットの受信に基づいてスタートされる。
【０３１５】
また、前記受信部３０５は、前記タイマーがランニングしているかどうか、且つ、前記所定の情報が前記ＭＡＣプロトコルデータユニットに含まれているかどうかに関わらず、セミパーシステントスケジューリングの活性化または再活性化を指示するために用いられる上りリンクグラントの送信に応じて、前記設定される上りリンクグラントに基づく前記ＭＡＣプロトコルデータユニットの受信を実行する。
【０３１６】
また、前記受信部３０５は、前記タイマーがランニングしているかどうか、且つ、前記所定の情報が前記ＭＡＣプロトコルデータユニットに含まれているかどうかに関わらず、セミパーシステントスケジューリングのリリースを指示するために用いられる上りリンクグラントの送信に応じて、前記設定される上りリンクグラントに基づく前記ＭＡＣプロトコルデータユニットの受信を実行し、且つ、前記上位層処理部３０１は、前記タイマーをストップする。
【０３１７】
また、本実施形態における端末装置１は、マスターセルグループ、および、セカンダリーセルグループを設定するためのパラメータ、タイミングアドバンスグループを設定するためのパラメータ、および、前記タイミングアドバンスグループそれぞれに対するタイマーを設定するためのパラメータを受信する受信部１０５と、セカンダリーセルグループのプライマリーセカンダリーセルにおいて受信した上りリンクグラントを、設定される上りリンクグラント（a configured uplink grant）としてストアする上位層処理部１０１と、マスターセルグループのプライマリータイミングアドバンスグループにおける上りリンク送信タイミングと、前記セカンダリーセルグループのプライマリーセカンダリータイミングアドバンスグループにおける上りリンク送信タイミングとの差が、最大の送信タイミングの差を超えている場合には、前記セカンダリーセルグループのプライマリーセカンダリータイミングアドバンスグループに対するタイマーが満了したとみなし、前記設定される上りリンクグラントをクリアする上位層処理部１０１と、を備える。
【０３１８】
また、前記マスターセルグループのプライマリータイミングアドバンスグループにおける上りリンク送信タイミングと、マスターセルグループのセカンダリータイミングアドバンスグループにおける上りリンク送信タイミングとの差が、最大の送信タイミングの差を超えている場合には、前記マスターセルグループのセカンダリータイミングアドバンスグループに対するタイマーが満了したとみなし、前記マスターセルグループのセカンダリータイミングアドバンスグループにおけるＰＵＳＣＨ、ＰＵＣＣＨ、および／または、ＳＲＳの送信をストップする送信部１０７を備える。
【０３１９】
また、前記マスターセルグループのプライマリータイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対するタイマーが満了したとみなし、前記セカンダリーセルグループのセカンダリータイミングアドバンスグループにおけるＰＵＳＣＨ、ＰＵＣＣＨ、および／または、ＳＲＳの送信をストップする送信部１０７を備える。
【０３２０】
また、本実施形態における基地局装置３は、マスターセルグループ、および、セカンダリーセルグループを設定するためのパラメータ、タイミングアドバンスグループを設定するためのパラメータ、および、前記タイミングアドバンスグループそれぞれに対するタイマーを設定するためのパラメータを送信する送信部３０７と、セカンダリーセルグループのプライマリーセカンダリーセルにおいて送信した上りリンクグラントが、設定される上りリンクグラント（a configured uplink grant）としてストアされるとみなす上位層処理部３０１と、マスターセルグループのプライマリータイミングアドバンスグループにおける上りリンク送信タイミングと、前記セカンダリーセルグループのプライマリーセカンダリータイミングアドバンスグループにおける上りリンク送信タイミングとの差が、最大の送信タイミングの差を超えている場合には、前記セカンダリーセルグループのプライマリーセカンダリータイミングアドバンスグループに対するタイマーが満了したとみなし、前記設定される上りリンクグラントがクリアされるとみなす上位層処理部３０１と、を備える。
【０３２１】
また、前記マスターセルグループのプライマリータイミングアドバンスグループにおける上りリンク送信タイミングと、マスターセルグループのセカンダリータイミングアドバンスグループにおける上りリンク送信タイミングとの差が、最大の送信タイミングの差を超えている場合には、前記マスターセルグループのセカンダリータイミングアドバンスグループに対する前記タイマーが満了したとみなし、前記マスターセルグループのセカンダリータイミングアドバンスグループにおけるＰＵＳＣＨ、ＰＵＣＣＨ、および／または、ＳＲＳの送信がストップされるとみなす上位層処理部３０１を備える。
【０３２２】
また、前記マスターセルグループのプライマリータイミングアドバンスグループにおける上りリンク送信タイミングと、セカンダリーセルグループのセカンダリータイミングアドバンスグループにおける上りリンク送信タイミングとの差が、最大の送信タイミングの差を超えている場合には、前記セカンダリーセルグループのセカンダリータイミングアドバンスグループに対する前記タイマーが満了したとみなし、前記セカンダリーセルグループのセカンダリータイミングアドバンスグループにおけるＰＵＳＣＨ、ＰＵＣＣＨ、および／または、ＳＲＳの送信がストップされるとみなす上位層処理部３０１を備える。
【０３２３】
これにより、上りリンクデータを効率的に送信することができる。
【０３２４】
本発明に関わる基地局装置３、および端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３２５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３２６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３２７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３２８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３２９】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０３３０】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０３３１】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０３３２】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０３３３】
１（１Ａ、１Ｂ、１Ｃ）  端末装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  スケジューリング情報解釈部
１０１５  ＳＰＳ制御部
３０１１  無線リソース制御部
３０１３  スケジューリング部
３０１５  ＳＰＳ制御部
【図１】
2017047444.tif 000004
【図２】
2017047444.tif 000005
【図３】
2017047444.tif 000006
【図４】
2017047444.tif 000007
【図５】
2017047444.tif 000008
【図６】
2017047444.tif 000009
【図７】
2017047444.tif 000010
【図８】
2017047444.tif 000011
【図９】
2017047444.tif 000012
【図１０】
2017047444.tif 000013
【図１１】
2017047444.tif 000014
【図１２】
2017047444.tif 000015
【図１３】
2017047444.tif 000016
【国際調査報告】
2017047444.tif 000017
2017047444.tif 000018